(57)【特許請求の範囲】
【請求項１】
リソーススケジューリング装置であって、
ＵＥのサービスを提供する遠隔無線ユニットＲＲＵのセットを取得する取得モジュールと、
前記ＵＥが前記サービスを提供するＲＲＵのセットの各ＲＲＵに到達する際のアップリンク参照信号受信電力ＲＳＲＰに従って、前記ＵＥの最大信号強度を有するＲＲＵを決定する第１の決定モジュールと、
前記最大信号強度を有する前記ＲＲＵを前記サービスを提供するＲＲＵのセットから削除し、前記サービスを提供するＲＲＵのセットの残りのＲＲＵを用いることによって前記ＵＥの第１のＲＲＵ対のセットを生成する第１の生成モジュールと、
前記第１のＲＲＵ対のセットに基づいて、ＵＥ対のセットを生成する第２の生成モジュールと、
前記ＵＥにサービスを提供するＲＲＵが前記第１のＲＲＵ対のセットに存在するか否かを決定する判断モジュールと、
前記ＵＥにサービスを提供するＲＲＵが前記第１のＲＲＵ対のセットに存在する場合に、前記第１のＲＲＵ対のセット及び前記ＵＥ対のセットに従って、前記ＵＥの第２のＲＲＵ対のセットを決定する第２の決定モジュールと、
前記第２のＲＲＵ対のセット及び前記ＵＥの初期ユーザ属性に従って、前記ＵＥの実際のユーザ属性を決定する第３の決定モジュールと、
前記ＵＥの前記実際のユーザ属性に従って、前記ＵＥへのリソースをスケジューリングするスケジューリングモジュールと、
を備える装置。
【請求項２】
前記取得モジュールは、前記ＵＥにサービスを提供する各ＲＲＵを決定し、前記ＲＲＵによって形成された前記サービスを提供するＲＲＵのセットを取得する、又は、前記ＵＥから各ＲＲＵまでの分離に従って、前記ＵＥにサービスを提供する各ＲＲＵを決定し、前記ＲＲＵによって形成された前記サービスを提供するＲＲＵのセットを取得する、請求項１に記載の装置。
【請求項３】
前記第２の生成モジュールは、前記第１のＲＲＵ対のセットの各ＲＲＵによってサービスされるＵＥを取得し、前記第１のＲＲＵ対のセットの前記ＲＲＵによってサービスされる前記ＵＥを用いることによって、前記ＵＥ対のセットを形成する、又は、前記第１のＲＲＵ対のセットの各ＲＲＵによってサービスされるＵＥを取得し、各ＲＲＵによってサービスされる前記ＵＥからビームフォーミングＢＦユーザをスクリーンアウトし、スクリーンアウトされた前記ＢＦユーザを用いることによって、前記ＵＥ対のセットを形成する、請求項１に記載の装置。
【請求項４】
前記装置は、前記ＵＥにサービスを提供するＲＲＵが前記第１のＲＲＵ対のセットに存在しない場合に、前記ＵＥの前記実際のユーザ属性が前記初期ユーザ属性であると決定する第４の決定モジュールをさらに備える、請求項１に記載の装置。
【請求項５】
前記第２の決定モジュールは、
前記ＵＥ対のセットの各ＵＥのサービスタイプに従って、各ＵＥの優先度を決定する第１の決定ユニットと、
前記ＵＥ対のセットの各ＵＥ対及び前記ＵＥに対して相関計算を実行する計算ユニットと、
降順で前記優先度に従って、各ＵＥ対が前記ＵＥと相関を有するか否かを順に決定する判断ユニットと、
最高優先度を有するＵＥ対が前記ＵＥと相関を有する場合に、前記最高優先度を有する前記ＵＥ対のサービスを提供するＲＲＵを取得し、前記第１のＲＲＵ対のセットから前記最高優先度を有する前記ＵＥ対の前記サービスを提供するＲＲＵを削除し、前記第２のＲＲＵ対のセットを取得する第１の処理ユニットと、
前記最高優先度を有する前記ＵＥ対が前記ＵＥと相関を有さない場合に、降順で前記優先度に従って、前記ＵＥ対のセットの残りのＵＥ対が前記ＵＥと相関を有するか否かを順に決定し、前記ＵＥと相関を有するＵＥ対が前記ＵＥ対のセットの前記残りのＵＥ対に存在する場合に、前記最高優先度を有する前記ＵＥ対を処理する態様で、前記ＵＥと相関を有する前記ＵＥ対を処理し、前記第２のＲＲＵ対のセットを取得する第２の処理ユニットと、
を含む、請求項１に記載の装置。
【請求項６】
前記装置は、前記ＵＥと相関を有するＵＥが前記ＵＥ対のセットの前記残りのＵＥ対に存在しない場合に、前記ＵＥの前記実際のユーザ属性が前記初期ユーザ属性であると決定する第５の決定モジュールをさらに備える、請求項５に記載の装置。
【請求項７】
前記第３の決定モジュールは、
前記ＵＥにサービスを提供するＲＲＵが前記第２のＲＲＵ対のセットに存在しない場合に、前記ＵＥの前記初期ユーザ属性に従って、前記ＵＥの前記実際のユーザ属性を決定する第１の決定ユニットと、
前記ＵＥにサービスを提供するＲＲＵが前記第２のＲＲＵ対のセットに存在する場合に、前記ＵＥにサービスを提供するＲＲＵが新たな第２のＲＲＵ対のセットに存在しなくなるまで、降順で優先度に従って、前記ＵＥ対のセットの残りのＵＥ対及び前記第１のＲＲＵ対のセットに従って、前記新たな第２のＲＲＵ対のセットを再決定する第２の決定ユニットと、
を含む、請求項１に記載の装置。
【請求項８】
前記ユーザ属性は、全ジョイントスケジューリングユーザ、部分ジョイントスケジューリングユーザ、又は独立スケジューリングユーザであり、
前記第１の決定ユニットは、
前記ＵＥの前記初期ユーザ属性が全ジョイントスケジューリングユーザである場合に、前記ＵＥの前記実際のユーザ属性が部分ジョイントスケジューリングユーザであると決定する第１の決定サブユニットと、
前記ＵＥの前記初期ユーザ属性が部分ジョイントスケジューリングユーザである場合に、前記ＵＥの前記実際のユーザ属性が独立スケジューリングユーザであると決定する第２の決定サブユニットと、
を含む、請求項７に記載の装置。
【請求項９】
リソーススケジューリング方法であって、
ＵＥのサービスを提供する遠隔無線ユニットＲＲＵのセットを取得する段階と、
前記ＵＥが前記サービスを提供するＲＲＵのセットの各ＲＲＵに到達する際のアップリンク参照信号受信電力ＲＳＲＰに従って、前記ＵＥの最大信号強度を有するＲＲＵを決定する段階と、
前記最大信号強度を有する前記ＲＲＵを前記サービスを提供するＲＲＵのセットから削除し、前記サービスを提供するＲＲＵのセットの残りのＲＲＵを用いることによって前記ＵＥの第１のＲＲＵ対のセットを生成する段階と、
前記第１のＲＲＵ対のセットに基づいて、ＵＥ対のセットを生成する段階と、
前記ＵＥにサービスを提供するＲＲＵが前記第１のＲＲＵ対のセットに存在するか否かを決定する段階と、
前記ＵＥにサービスを提供するＲＲＵが前記第１のＲＲＵ対のセットに存在する場合に、前記第１のＲＲＵ対のセット及び前記ＵＥ対のセットに従って、前記ＵＥの第２のＲＲＵ対のセットを決定する段階と、
前記第２のＲＲＵ対のセット及び前記ＵＥの初期ユーザ属性に従って、前記ＵＥの実際のユーザ属性を決定する段階と、
前記ＵＥの前記実際のユーザ属性に従って、前記ＵＥへのリソースをスケジューリングする段階と、
を備える方法。
【請求項１０】
ＵＥのサービスを提供するＲＲＵのセットを取得する前記段階は、
前記ＲＲＵによって形成された前記サービスを提供するＲＲＵのセットを取得すべく、前記ＵＥにサービスを提供する各ＲＲＵを決定する段階、又は、
前記ＲＲＵによって形成された前記サービスを提供するＲＲＵのセットを取得すべく、前記ＵＥから各ＲＲＵまでの分離に従って、前記ＵＥにサービスを提供する各ＲＲＵを決定する段階
を含む、請求項９に記載の方法。
【請求項１１】
前記第１のＲＲＵ対のセットに基づいて、ＵＥ対のセットを生成する前記段階は、
前記第１のＲＲＵ対のセットの各ＲＲＵによってサービスされるＵＥを取得し、前記第１のＲＲＵ対のセットの前記ＲＲＵによってサービスされる前記ＵＥを用いることによって、前記ＵＥ対のセットを形成する段階、又は、
前記第１のＲＲＵ対のセットの各ＲＲＵによってサービスされるＵＥを取得し、各ＲＲＵによってサービスされる前記ＵＥからビームフォーミングＢＦユーザをスクリーンアウトし、スクリーンアウトされた前記ＢＦユーザを用いることによって、前記ＵＥ対のセットを形成する段階
を含む、請求項９に記載の方法。
【請求項１２】
前記ＵＥにサービスを提供するＲＲＵが前記第１のＲＲＵ対のセットに存在するか否かを決定する前記段階の後で、前記ＵＥにサービスを提供するＲＲＵが前記第１のＲＲＵ対のセットに存在しない場合に、前記ＵＥの前記実際のユーザ属性が前記初期ユーザ属性であると決定する段階をさらに備える、請求項９に記載の方法。
【請求項１３】
前記第１のＲＲＵ対のセット及び前記ＵＥ対のセットに従って、前記ＵＥの第２のＲＲＵ対のセットを決定する前記段階は、
前記ＵＥ対のセットの各ＵＥのサービスタイプに従って、各ＵＥの優先度を決定する段階と、
前記ＵＥ対のセットの各ＵＥ対及び前記ＵＥに対して相関計算を実行する段階と、
降順で前記優先度に従って、各ＵＥ対が前記ＵＥと相関を有するか否かを順に決定する段階と、
最高優先度を有するＵＥ対が前記ＵＥと相関を有する場合に、前記最高優先度を有する前記ＵＥ対のサービスを提供するＲＲＵを取得し、前記第２のＲＲＵ対のセットを取得すべく、前記第１のＲＲＵ対のセットから前記最高優先度を有する前記ＵＥ対の前記サービスを提供するＲＲＵを削除する段階と、
前記最高優先度を有する前記ＵＥ対が前記ＵＥと相関を有さない場合に、降順で前記優先度に従って、前記ＵＥ対のセットの残りのＵＥ対が前記ＵＥと相関を有するか否かを順に決定し、前記ＵＥと相関を有するＵＥ対が前記ＵＥ対のセットの前記残りのＵＥ対に存在する場合に、前記第２のＲＲＵ対のセットを取得すべく、前記最高優先度を有する前記ＵＥ対を処理する態様で、前記ＵＥと相関を有する前記ＵＥ対を処理する段階と、
を含む、請求項１０に記載の方法。
【請求項１４】
降順で前記優先度に従って、前記ＵＥ対のセットの前記残りのＵＥ対が前記ＵＥと相関を有するか否かを順に決定する前記段階の後で、前記ＵＥと相関を有するＵＥ対が前記ＵＥ対のセットの前記残りのＵＥ対に存在しない場合に、前記ＵＥの前記実際のユーザ属性が前記初期ユーザ属性であると決定する段階をさらに備える、請求項１３に記載の方法。
【請求項１５】
前記第２のＲＲＵ対のセット及び前記ＵＥの初期ユーザ属性に従って、前記ＵＥの実際のユーザ属性を決定する前記段階は、
前記ＵＥにサービスを提供するＲＲＵが前記第２のＲＲＵ対のセットに存在しない場合に、前記ＵＥの前記初期ユーザ属性に従って、前記ＵＥの前記実際のユーザ属性を決定する段階と、
前記ＵＥにサービスを提供するＲＲＵが前記第２のＲＲＵ対のセットに存在する場合に、降順で優先度に従って、前記ＵＥにサービスを提供するＲＲＵが新たな第２のＲＲＵ対のセットに存在しなくなるまで、前記ＵＥ対のセットの残りのＵＥ対及び前記第１のＲＲＵ対のセットに従って、前記新たな第２のＲＲＵ対のセットを再決定する段階と、
を含む、請求項９に記載の方法。
【請求項１６】
請求項９から１５のいずれか１項に記載の方法をコンピュータに実行させるプログラム。
【発明の詳細な説明】
【技術分野】
【０００１】
本発明は、通信技術分野に関し、詳細には、リソーススケジューリング方法及び装置に関する。
【背景技術】
【０００２】
通信分野において、単一周波数ネットワークは、概して、ＬＴＥ（Ｌｏｎｇ  Ｔｅｒｍ  Ｅｖｏｌｕｔｉｏｎ、ロングタームエボリューション）システムにおいて用いられ、その結果、比較的顕著なセル間干渉がもたらされ、特に、サイト密度が高いネットワークにおいて、干渉がより明らかとなっている。マルチＲＲＵ（Ｒｅｍｏｔｅ  Ｒａｄｉｏ  Ｕｎｉｔ、遠隔無線ユニット）セル技術は、概して、ＬＴＥシステムにおいてリソーススケジューリングのために用いられ、サイトが密に配置される場合に干渉を減少させ、組み合わせの利得を得る。
【０００３】
マルチＲＲＵセル技術に基づいて、現在、リソーススケジューリングが実行されている場合、論理セルが、複数のＲＲＵを用いることによって形成される。各ＵＥの干渉強度は、論理セル内のＵＥ（Ｕｓｅｒ  Ｅｑｕｉｐｍｅｎｔ、ユーザ機器）がセル内の各ＲＲＵに到達する際のアップリンクＲＳＲＰ（Ｒｅｆｅｒｅｎｃｅ  Ｓｉｇｎａｌ  Ｒｅｃｅｉｖｉｎｇ  Ｐｏｗｅｒ、参照信号受信電力）を測定することによって決定される。さらに、各ＵＥのユーザ属性は、ＵＥの干渉強度に従って、決定される。ユーザ属性は、全ジョイントスケジューリングＵＥ、部分ジョイントスケジューリングＵＥ、又は独立スケジューリングＵＥであり、これにより、リソーススケジューリングは、ＵＥのユーザ属性に従って、各ＵＥに対して実行される。ＵＥのユーザ属性が全ジョイントスケジューリングＵＥである場合、論理セル内の全ＵＥは、１つのＲＲＵによってジョイントにサービスされ、リソースがＵＥに対してスケジューリングされる。又は、ＵＥのユーザ属性が部分ジョイントスケジューリングＵＥである場合、論理セルにおいて比較的強い干渉を有するいくつかのＵＥは、１つのＲＲＵによってジョイントにサービスされ、リソースがＵＥに対してスケジューリングされる。ＵＥのユーザ属性が独立スケジューリングユーザである場合、論理セルにおいて最も弱い干渉を有するＲＲＵは、ＵＥのサービングＲＲＵとして用いられ、リソースがＵＥに対してスケジューリングされる。
【０００４】
本発明を実装するプロセスにおいて、発明者は、関連技術が少なくとも以下の課題を有することを見出した。
【０００５】
リソーススケジューリング中に、異なるユーザのユーザ属性は、主に信号及び干渉強度の検出条件に応じて決定される。異なるユーザ属性を有するユーザが区別なく処理され、比較的顕著なセル間干渉及び低リソース利用効率をもたらす。
【発明の概要】
【０００６】
関連技術における課題を解決すべく、本発明の実施形態は、リソーススケジューリング方法及び装置を提供する。技術的解決手段は、以下の通りである。
【０００７】
第１の態様によれば、リソーススケジューリング装置が提供される。装置は、
ＵＥのＲＲＵのセットを取得するように構成される取得モジュールと、
ＵＥが動作中のＲＲＵのセットの各ＲＲＵに到達する際のＲＳＲＰに従って、ＵＥの最大信号強度を有するＲＲＵを決定するように構成される第１の決定モジュールと、
最大信号強度を有するＲＲＵに基づいて、動作中のＲＲＵのセットをスクリーニングし、ＵＥの第１のＲＲＵ対のセットを生成するように構成される第１の生成モジュールと、
第１のＲＲＵ対のセットに基づいて、ＵＥ対のセットを生成するように構成される第２の生成モジュールと、
ＵＥにサービスを提供するＲＲＵが第１のＲＲＵ対のセットに存在するか否かを決定するように構成される判断モジュールと、
ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定するように構成される第２の決定モジュールと、
第２のＲＲＵ対のセット及びＵＥの初期ユーザ属性に従って、ＵＥの実際のユーザ属性を決定するように構成される第３の決定モジュールと、
ＵＥの実際のユーザ属性に従って、ＵＥへのリソースをスケジューリングするように構成されるスケジューリングモジュールと、
を含む。
【０００８】
第１の態様に関連して、第１の態様の第１の可能な実装態様において、取得モジュールは、ＵＥにサービスを提供する各ＲＲＵを決定し、ＲＲＵによって形成された動作中のＲＲＵのセットを取得する、又は、ＵＥの分離範囲に従って、ＵＥにサービスを提供する各ＲＲＵを決定し、ＲＲＵによって形成された動作中のＲＲＵのセットを取得するように構成される。
【０００９】
第１の態様に関連して、第１の態様の第２の可能な実装態様において、第２の生成モジュールは、第１のＲＲＵ対のセットの各ＲＲＵによってサービスされるＵＥを取得し、第１のＲＲＵ対のセットのＲＲＵによってサービスされるＵＥを用いることによって、ＵＥ対のセットを形成する、又は、第１のＲＲＵ対のセットの各ＲＲＵによってサービスされるＵＥを取得し、各ＲＲＵによってサービスされるＵＥからＢＦユーザをスクリーンアウトし、スクリーンアウトされたＢＦユーザを用いることによって、ＵＥ対のセットを形成するように構成される。
【００１０】
第１の態様に関連して、第１の態様の第３の可能な実装態様において、装置は、ＵＥにサービスを提供するＲＲＵが第１のＲＲＵ対のセットに存在しない場合に、ＵＥの実際のユーザ属性が初期ユーザ属性であると決定するように構成される第４の決定モジュールをさらに含む。
【００１１】
第１の態様に関連して、第１の態様の第４の可能な実装態様において、第２の決定モジュールは、
ＵＥ対のセットの各ＵＥのサービスタイプに従って、各ＵＥの優先度を決定するように構成される第１の決定ユニットと、
ＵＥ対のセットの各ＵＥ対及びＵＥに対して相関計算を実行するように構成される計算ユニットと、
降順で優先度に従って、各ＵＥ対がＵＥと相関を有するか否かを順に決定するように構成される判断ユニットと、
最高優先度を有するＵＥ対がＵＥと相関を有する場合に、最高優先度を有するＵＥ対の動作中のＲＲＵを取得し、第１のＲＲＵ対のセットから最高優先度を有するＵＥ対の動作中のＲＲＵを削除し、第２のＲＲＵ対のセットを取得するように構成される第１の処理ユニットと、
最高優先度を有するＵＥ対がＵＥと相関を有さない場合に、降順で優先度に従って、ＵＥ対のセットの残りのＵＥ対がＵＥと相関を有するか否かを順に決定し、ＵＥと相関を有するＵＥ対がＵＥ対のセットの残りのＵＥ対に存在する場合に、最高優先度を有するＵＥ対を処理する態様で、ＵＥと相関を有するＵＥ対を処理し、第２のＲＲＵ対のセットを取得するように構成される第２の処理ユニットと、
を含む。
【００１２】
第１の態様の第４の可能な実装態様に関連して、第１の態様の第５の可能な実装態様において、装置は、ＵＥと相関を有するＵＥがＵＥ対のセットの残りのＵＥ対に存在しない場合に、ＵＥの実際のユーザ属性が初期ユーザ属性であると決定するように構成される第５の決定モジュールをさらに含む。
【００１３】
第１の態様に関連して、第１の態様の第６の可能な実装態様において、第３の決定モジュールは、
ＵＥにサービスを提供するＲＲＵが第２のＲＲＵ対のセットに存在しない場合に、ＵＥの初期ユーザ属性に従って、ＵＥの実際のユーザ属性を決定するように構成される第１の決定ユニットと、
ＵＥにサービスを提供するＲＲＵが第２のＲＲＵ対のセットに存在する場合に、ＵＥにサービスを提供するＲＲＵが新たな第２のＲＲＵ対のセットに存在しなくなるまで、降順で優先度に従って、ＵＥ対のセットの残りのＵＥ対及び第１のＲＲＵ対のセットに従って、新たな第２のＲＲＵ対のセットを再決定するように構成される第２の決定ユニットと、
を含む。
【００１４】
第１の態様の第６の可能な実装態様に関連して、第１の態様の第７の可能な実装態様において、ユーザ属性は、全ジョイントスケジューリングユーザ、部分ジョイントスケジューリングユーザ、又は独立スケジューリングユーザであり、
第１の決定ユニットは、
ＵＥの初期ユーザ属性が全ジョイントスケジューリングユーザである場合に、ＵＥの実際のユーザ属性が部分ジョイントスケジューリングユーザであると決定するように構成される第１の決定サブユニットと、
ＵＥの初期ユーザ属性が部分ジョイントスケジューリングユーザである場合に、ＵＥの実際のユーザ属性が独立スケジューリングユーザであると決定するように構成される第２の決定サブユニットと、
を含む。
【００１５】
第１の態様の第７の可能な実装態様に関連して、第１の態様の第８の可能な実装態様において、装置は、ＵＥがＢＦユーザである場合に、ＵＥのビーム方向に対して重み付け処理を実行するように構成される処理モジュールをさらに含む。
【００１６】
第２の態様によれば、リソーススケジューリング装置が提供される。装置は、
プロセッサと、
プロセッサによって実行可能な命令を格納するように構成されるメモリと、
を含み、
プロセッサは、
ＵＥの動作中の遠隔無線ユニットＲＲＵのセットを取得し、
ＵＥが動作中のＲＲＵのセットの各ＲＲＵに到達する際のアップリンク参照信号受信電力ＲＳＲＰに従って、ＵＥの最大信号強度を有するＲＲＵを決定し、
最大信号強度を有するＲＲＵに基づいて、動作中のＲＲＵのセットをスクリーニングし、ＵＥの第１のＲＲＵ対のセットを生成し、
第１のＲＲＵ対のセットに基づいて、ＵＥ対のセットを生成し、
ＵＥにサービスを提供するＲＲＵが第１のＲＲＵ対のセットに存在するか否かを決定し、
ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定し、
第２のＲＲＵ対のセット及びＵＥの初期ユーザ属性に従って、ＵＥの実際のユーザ属性を決定し、
ＵＥの実際のユーザ属性に従って、ＵＥへのリソースをスケジューリングする
ように構成される。
【００１７】
第２の態様に関連して、第２の態様の第１の可能な実装態様において、
ＵＥの動作中のＲＲＵのセットを取得する場合に、プロセッサは、ＵＥにサービスを提供する各ＲＲＵを決定し、ＲＲＵによって形成された動作中のＲＲＵのセットを取得するように具体的に構成される、又は、
ＵＥの動作中のＲＲＵのセットを取得する場合に、プロセッサは、ＵＥの分離範囲に従って、ＵＥにサービスを提供する各ＲＲＵを決定し、ＲＲＵによって形成された動作中のＲＲＵのセットを取得するように具体的に構成される。
【００１８】
第２の態様に関連して、第２の態様の第２の可能な実装態様において、
第１のＲＲＵ対のセットに基づいて、ＵＥ対のセットを生成する場合に、プロセッサは、第１のＲＲＵ対のセットの各ＲＲＵによってサービスされるＵＥを取得し、第１のＲＲＵ対のセットのＲＲＵによってサービスされるＵＥを用いることによって、ＵＥ対のセットを形成するように具体的に構成される、又は、
第１のＲＲＵ対のセットに基づいて、ＵＥ対のセットを生成する場合に、プロセッサは、第１のＲＲＵ対のセットの各ＲＲＵによってサービスされるＵＥを取得し、各ＲＲＵによってサービスされるＵＥからビームフォーミングＢＦユーザをスクリーンアウトし、スクリーンアウトされたＢＦユーザを用いることによって、ＵＥ対のセットを形成するように具体的に構成される。
【００１９】
第２の態様に関連して、第２の態様の第３の可能な実装態様において、ＵＥにサービスを提供するＲＲＵが第１のＲＲＵ対のセットに存在するか否かを決定した後で、プロセッサは、ＵＥにサービスを提供するＲＲＵが第１のＲＲＵ対のセットに存在しない場合に、ＵＥの実際のユーザ属性が初期ユーザ属性であると決定するようにさらに構成される。
【００２０】
第２の態様に関連して、第２の態様の第４の可能な実装態様において、第１のＲＲＵ対のセット及びＵＥ対のセットに従って、ＵＥの第２のＲＲＵ対のセットを決定する場合に、プロセッサは、
ＵＥ対のセットの各ＵＥのサービスタイプに従って、各ＵＥの優先度を決定し、
ＵＥ対のセットの各ＵＥ対及びＵＥに対して相関計算を実行し、
降順で優先度に従って、各ＵＥ対がＵＥと相関を有するか否かを順に決定し、
最高優先度を有するＵＥ対がＵＥと相関を有する場合に、最高優先度を有するＵＥ対の動作中のＲＲＵを取得し、第１のＲＲＵ対のセットから最高優先度を有するＵＥ対の動作中のＲＲＵを削除し、第２のＲＲＵ対のセットを取得し、
最高優先度を有するＵＥ対がＵＥと相関を有さない場合に、降順で優先度に従って、ＵＥ対のセットの残りのＵＥ対がＵＥと相関を有するか否かを順に決定し、
ＵＥと相関を有するＵＥ対がＵＥ対のセットの残りのＵＥ対に存在する場合に、最高優先度を有するＵＥ対を処理する態様で、ＵＥと相関を有するＵＥ対を処理し、第２のＲＲＵ対のセットを取得する
ように具体的に構成される。
【００２１】
第２の態様の第４の可能な実装態様に関連して、第２の態様の第５の可能な実装態様において、降順で優先度に従って、ＵＥ対のセットの残りのＵＥ対がＵＥと相関を有するか否かを順に決定した後で、プロセッサは、ＵＥと相関を有するＵＥがＵＥ対のセットの残りのＵＥ対に存在しない場合に、ＵＥの実際のユーザ属性が初期ユーザ属性であると決定するようにさらに構成される。
【００２２】
第２の態様に関連して、第２の態様の第６の可能な実装態様において、第２のＲＲＵ対のセット及びＵＥの初期ユーザ属性に従って、ＵＥの実際のユーザ属性を決定する場合に、プロセッサは、ＵＥにサービスを提供するＲＲＵが第２のＲＲＵ対のセットに存在しない場合に、ＵＥの初期ユーザ属性に従って、ＵＥの実際のユーザ属性を決定し、ＵＥにサービスを提供するＲＲＵが第２のＲＲＵ対のセットに存在する場合に、ＵＥにサービスを提供するＲＲＵが新たな第２のＲＲＵ対のセットに存在しなくなるまで、降順で優先度に従って、ＵＥ対のセットの残りのＵＥ対及び第１のＲＲＵ対のセットに従って、新たな第２のＲＲＵ対のセットを再決定するように具体的に構成される。
【００２３】
第２の態様の第６の可能な実装態様に関連して、第２の態様の第７の可能な実装態様において、ユーザ属性は、全ジョイントスケジューリングユーザ、部分ジョイントスケジューリングユーザ、又は独立スケジューリングユーザであり、
ＵＥの初期ユーザ属性に従って、ＵＥの実際のユーザ属性を決定する場合に、プロセッサは、ＵＥの初期ユーザ属性が全ジョイントスケジューリングユーザである場合に、ＵＥの実際のユーザ属性が部分ジョイントスケジューリングユーザであると決定し、ＵＥの初期ユーザ属性が部分ジョイントスケジューリングユーザである場合に、ＵＥの実際のユーザ属性が独立スケジューリングユーザであると決定するように具体的に構成される。
【００２４】
第２の態様の第７の可能な実装態様に関連して、第２の態様の第８の可能な実装態様において、ＵＥの初期ユーザ属性に従って、ＵＥの実際のユーザ属性を決定した後で、プロセッサは、ＵＥがＢＦユーザである場合に、ＵＥのビーム方向に対して重み付け処理を実行するようにさらに構成される。
【００２５】
第３の態様によれば、リソーススケジューリング方法が提供される。方法は、ＵＥのＲＲＵのセットを取得する段階と、ＵＥが動作中のＲＲＵのセットの各ＲＲＵに到達する際のＲＳＲＰに従って、ＵＥの最大信号強度を有するＲＲＵを決定する段階と、ＵＥの第１のＲＲＵ対のセットを生成すべく、最大信号強度を有するＲＲＵに基づいて、動作中のＲＲＵのセットをスクリーニングする段階と、第１のＲＲＵ対のセットに基づいて、ＵＥ対のセットを生成する段階と、ＵＥにサービスを提供するＲＲＵが第１のＲＲＵ対のセットに存在するか否かを決定する段階と、ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定する段階と、第２のＲＲＵ対のセット及びＵＥの初期ユーザ属性に従って、ＵＥの実際のユーザ属性を決定する段階と、ＵＥの実際のユーザ属性に従って、ＵＥへのリソースをスケジューリングする段階と、を含む。
【００２６】
第３の態様に関連して、第３の態様の第１の可能な実装態様において、ＵＥの動作中のＲＲＵのセットを取得する段階は、
ＲＲＵによって形成された動作中のＲＲＵのセットを取得すべく、ＵＥにサービスを提供する各ＲＲＵを決定する段階、又は、
ＲＲＵによって形成された動作中のＲＲＵのセットを取得すべく、ＵＥの分離範囲に従って、ＵＥにサービスを提供する各ＲＲＵを決定する段階
を含む。
【００２７】
第３の態様に関連して、第３の態様の第２の可能な実装態様において、第１のＲＲＵ対のセットに基づいて、ＵＥ対のセットを生成する段階は、
第１のＲＲＵ対のセットの各ＲＲＵによってサービスされるＵＥを取得し、第１のＲＲＵ対のセットのＲＲＵによってサービスされるＵＥを用いることによって、ＵＥ対のセットを形成する段階、又は、
第１のＲＲＵ対のセットの各ＲＲＵによってサービスされるＵＥを取得し、各ＲＲＵによってサービスされるＵＥからＢＦユーザをスクリーンアウトし、スクリーンアウトされたＢＦユーザを用いることによって、ＵＥ対のセットを形成する段階
を含む。
【００２８】
第３の態様に関連して、第３の態様の第３の可能な実装態様において、ＵＥにサービスを提供するＲＲＵが第１のＲＲＵ対のセットに存在するか否かを決定する段階の後で、方法は、ＵＥにサービスを提供するＲＲＵが第１のＲＲＵ対のセットに存在しない場合に、ＵＥの実際のユーザ属性が初期ユーザ属性であると決定する段階をさらに含む。
【００２９】
第３の態様に関連して、第３の態様の第４の可能な実装態様において、第１のＲＲＵ対のセット及びＵＥ対のセットに従って、ＵＥの第２のＲＲＵ対のセットを決定する段階は、
ＵＥ対のセットの各ＵＥのサービスタイプに従って、各ＵＥの優先度を決定する段階と、
ＵＥ対のセットの各ＵＥ対及びＵＥに対して相関計算を実行する段階と、
降順で優先度に従って、各ＵＥ対がＵＥと相関を有するか否かを順に決定する段階と、
最高優先度を有するＵＥ対がＵＥと相関を有する場合に、最高優先度を有するＵＥ対の動作中のＲＲＵを取得し、第２のＲＲＵ対のセットを取得すべく、第１のＲＲＵ対のセットから最高優先度を有するＵＥ対の動作中のＲＲＵを削除する段階と、
最高優先度を有するＵＥ対がＵＥと相関を有さない場合に、降順で優先度に従って、ＵＥ対のセットの残りのＵＥ対がＵＥと相関を有するか否かを順に決定し、ＵＥと相関を有するＵＥ対がＵＥ対のセットの残りのＵＥ対に存在する場合に、第２のＲＲＵ対のセットを取得すべく、最高優先度を有するＵＥ対を処理する態様で、ＵＥと相関を有するＵＥ対を処理する段階と、
を含む。
【００３０】
第３の態様の第４の可能な実装態様に関連して、第３の態様の第５の可能な実装態様において、降順で優先度に従って、ＵＥ対のセットの残りのＵＥ対がＵＥと相関を有するか否かを順に決定する段階の後で、方法は、ＵＥと相関を有するＵＥがＵＥ対のセットの残りのＵＥ対に存在しない場合に、ＵＥの実際のユーザ属性が初期ユーザ属性であると決定する段階をさらに含む。
【００３１】
第３の態様に関連して、第３の態様の第６の可能な実装態様において、第２のＲＲＵ対のセット及びＵＥの初期ユーザ属性に従って、ＵＥの実際のユーザ属性を決定する段階は、
ＵＥにサービスを提供するＲＲＵが第２のＲＲＵ対のセットに存在しない場合に、ＵＥの初期ユーザ属性に従って、ＵＥの実際のユーザ属性を決定する段階と、
ＵＥにサービスを提供するＲＲＵが第２のＲＲＵ対のセットに存在する場合に、降順で優先度に従って、ＵＥにサービスを提供するＲＲＵが新たな第２のＲＲＵ対のセットに存在しなくなるまで、ＵＥ対のセットの残りのＵＥ対及び第１のＲＲＵ対のセットに従って、新たな第２のＲＲＵ対のセットを再決定する段階と、
を含む。
【００３２】
第３の態様の第６の可能な実装態様に関連して、第３の態様の第７の可能な実装態様において、ユーザ属性は、全ジョイントスケジューリングユーザ、部分ジョイントスケジューリングユーザ、又は独立スケジューリングユーザであり、
ＵＥの初期ユーザ属性に従って、ＵＥの実際のユーザ属性を決定する段階は、
ＵＥの初期ユーザ属性が全ジョイントスケジューリングユーザである場合に、ＵＥの実際のユーザ属性が部分ジョイントスケジューリングユーザであると決定する段階と、
ＵＥの初期ユーザ属性が部分ジョイントスケジューリングユーザである場合に、ＵＥの実際のユーザ属性が独立スケジューリングユーザであると決定する段階と、
を含む。
【００３３】
第３の態様の第７の可能な実装態様に関連して、第３の態様の第８の可能な実装態様において、ＵＥの初期ユーザ属性に従って、ＵＥの実際のユーザ属性を決定する段階の後で、方法は、ＵＥがＢＦユーザである場合に、ＵＥのビーム方向に対して重み付け処理を実行する段階をさらに含む。
【００３４】
本発明の実施形態において提供される技術的解決手段は、以下の有利な効果をもたらす。
【００３５】
ＵＥの最大信号強度を有するＲＲＵが決定され、動作中のＲＲＵのセットは、最大信号強度を有するＲＲＵに基づいてスクリーニングされ、ＵＥの第１のＲＲＵ対のセットを得る。次に、ＵＥ対のセットが、第１のＲＲＵ対のセットに基づいて生成される。ＵＥにサービスを提供するＲＲＵが第１のＲＲＵ対のセットに存在する場合に、ＵＥの第２のＲＲＵ対のセットは、第１のＲＲＵ対のセット及びＵＥ対のセットに従って、決定される。さらに、ＵＥの実際のユーザ属性は、第２のＲＲＵ対のセット及び初期ユーザ属性に従って決定され、これにより、リソースは、ＵＥの実際のユーザ属性に従って、ＵＥに対してスケジューリングされる。ＵＥの実際のユーザ属性は、ＵＥと他のＵＥとの間の干渉状況を反映することができるので、リソースは、ＵＥの実際のユーザ属性に従って、ＵＥに対してスケジューリングされ、これにより、セル間干渉を減少させるのみならず、リソース利用効率をも向上させる。
【図面の簡単な説明】
【００３６】
本発明の実施形態における技術的解決手段をより明確に説明すべく、以下、実施形態を説明するために必要な添付図面を簡潔に紹介する。以下の説明における添付図面は、本発明のいくつかの実施形態を示しているに過ぎず、当業者であれば、これらの添付図面から、創造的な努力がなくとも他の図面をさらに導出し得ることは明らかである。
【００３７】
【図１】本発明の実施形態に係るリソーススケジューリング装置の模式的構造図である。
【００３８】
【図２】本発明の他の実施形態に係るリソーススケジューリング装置の模式的構造図である。
【００３９】
【図３】本発明の他の実施形態に係るリソーススケジューリング方法のフローチャートである。
【００４０】
【図４】本発明の他の実施形態に係るリソーススケジューリング方法のフローチャートである。
【００４１】
【図５】本発明の他の実施形態に係るマルチＲＲＵセルの模式図である。
【００４２】
【図６】本発明の他の実施形態に係るリソーススケジューリング方法のフローチャートである。
【００４３】
【図７】本発明の他の実施形態に係るリソーススケジューリング方法のフローチャートである。
【発明を実施するための形態】
【００４４】
本発明の目的、技術的解決手段、及び利点をより明確にすべく、以下、添付図面を参照して、本発明の実施形態をさらに詳述する。
【００４５】
通信分野において、ＬＴＥシステムにおけるセル間干渉を減少させるべく、マルチＲＲＵセル技術が、概して、リソーススケジューリングを実行するために用いられる。マルチＲＲＵセル技術に基づいて、リソーススケジューリングが従来技術において実行される場合、スケジューリングは、信号及び干渉強度の検出条件を用いることによって決定されるユーザ属性に主に応じて実行される。結果として、ジョイントスケジューリングユーザのリソース利用効率は高くなく、独立スケジューリングユーザ間の干渉は、比較的強い。干渉を減少させ、リソースの利用を向上させるべく、本発明の実施形態は、リソーススケジューリング装置を提供する。図１を参照すると、装置は、図３から図７の実施形態のいずれか１つにおける以下のリソーススケジューリング方法を実行するように構成される。装置は、
ＵＥのＲＲＵのセットを取得するように構成される取得モジュール１０１と、
ＵＥが動作中のＲＲＵのセットの各ＲＲＵに到達する際のＲＳＲＰに従って、ＵＥの最大信号強度を有するＲＲＵを決定するように構成される第１の決定モジュール１０２と、
最大信号強度を有するＲＲＵに基づいて、動作中のＲＲＵのセットをスクリーニングし、ＵＥの第１のＲＲＵ対のセットを生成するように構成される第１の生成モジュール１０３と、
第１のＲＲＵ対のセットに基づいて、ＵＥ対のセットを生成するように構成される第２の生成モジュール１０４と、
ＵＥにサービスを提供するＲＲＵが第１のＲＲＵ対のセットに存在するか否かを決定するように構成される判断モジュール１０５と、
ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定するように構成される第２の決定モジュール１０６と、
第２のＲＲＵ対のセット及びＵＥの初期ユーザ属性に従って、ＵＥの実際のユーザ属性を決定するように構成される第３の決定モジュール１０７と、
ＵＥの実際のユーザ属性に従って、ＵＥへのリソースをスケジューリングするように構成されるスケジューリングモジュール１０８と、
を含む。
【００４６】
選択的に、取得モジュール１０１は、ＵＥにサービスを提供する各ＲＲＵを決定し、ＲＲＵによって形成された動作中のＲＲＵのセットを取得する、又は、ＵＥの分離範囲に従って、ＵＥにサービスを提供する各ＲＲＵを決定し、ＲＲＵによって形成された動作中のＲＲＵのセットを取得するように構成される。
【００４７】
選択的に、第２の生成モジュール１０４は、第１のＲＲＵ対のセットの各ＲＲＵによってサービスされるＵＥを取得し、第１のＲＲＵ対のセットのＲＲＵによってサービスされるＵＥを用いることによって、ＵＥ対のセットを形成する、又は、第１のＲＲＵ対のセットの各ＲＲＵによってサービスされるＵＥを取得し、各ＲＲＵによってサービスされるＵＥからビームフォーミングＢＦユーザをスクリーンアウトし、スクリーンアウトされたＢＦユーザを用いることによって、ＵＥ対のセットを形成するように構成される。
【００４８】
選択的に、装置は、ＵＥにサービスを提供するＲＲＵが第１のＲＲＵ対のセットに存在しない場合に、ＵＥの実際のユーザ属性が初期ユーザ属性であると決定するように構成される第４の決定モジュールをさらに含む。
【００４９】
選択的に、第２の決定モジュール１０６は、  ＵＥ対のセットの各ＵＥのサービスタイプに従って、各ＵＥの優先度を決定するように構成される第１の決定ユニットと、
ＵＥ対のセットの各ＵＥ対及びＵＥに対して相関計算を実行するように構成される計算ユニットと、
降順で優先度に従って、各ＵＥ対がＵＥと相関を有するか否かを順に決定するように構成される判断ユニットと、
最高優先度を有するＵＥ対がＵＥと相関を有する場合に、最高優先度を有するＵＥ対の動作中のＲＲＵを取得し、第１のＲＲＵ対のセットから最高優先度を有するＵＥ対の動作中のＲＲＵを削除し、第２のＲＲＵ対のセットを取得するように構成される第１の処理ユニットと、
最高優先度を有するＵＥ対がＵＥと相関を有さない場合に、降順で優先度に従って、第１のＲＲＵ対のセットの残りのＵＥ対がＵＥと相関を有するか否かを順に決定し、ＵＥと相関を有するＵＥ対が第１のＲＲＵ対のセットの残りのＵＥ対に存在する場合に、最高優先度を有するＵＥ対を処理する態様で、ＵＥと相関を有するＵＥ対を処理し、第２のＲＲＵ対のセットを取得するように構成される第２の処理ユニットと、
を含む。
【００５０】
選択的に、装置は、ＵＥと相関を有するＵＥが残りのＵＥ対に存在しない場合に、ＵＥの実際のユーザ属性が初期ユーザ属性であると決定するように構成される第５の決定モジュールをさらに含む。
【００５１】
選択的に、第３の決定モジュール１０７は、
ＵＥにサービスを提供するＲＲＵが第２のＲＲＵ対のセットに存在しない場合に、ＵＥの初期ユーザ属性に従って、ＵＥの実際のユーザ属性を決定するように構成される第１の決定ユニットと、
ＵＥにサービスを提供するＲＲＵが第２のＲＲＵ対のセットに存在する場合に、ＵＥにサービスを提供するＲＲＵが新たな第２のＲＲＵ対のセットに存在しなくなるまで、降順で優先度に従って、第１の対のセットの残りのＵＥ対及び第１のＲＲＵ対のセットに従って、新たな第２のＲＲＵ対のセットを再決定するように構成される第２の決定ユニットと、
を含む。
【００５２】
選択的に、ユーザ属性は、全ジョイントスケジューリングユーザ、部分ジョイントスケジューリングユーザ、又は独立スケジューリングユーザであり、
第１の決定ユニットは、
ＵＥの初期ユーザ属性が全ジョイントスケジューリングユーザである場合に、ＵＥの実際のユーザ属性が部分ジョイントスケジューリングユーザであると決定するように構成される第１の決定サブユニットと、
ＵＥの初期ユーザ属性が部分ジョイントスケジューリングユーザである場合に、ＵＥの実際のユーザ属性が独立スケジューリングユーザであると決定するように構成される第２の決定サブユニットと、
を含む。
【００５３】
選択的に、装置は、ＵＥがＢＦユーザである場合に、ＵＥのビーム方向に対して重み付け処理を実行するように構成される処理モジュールをさらに含む。
【００５４】
要約すると、本発明の本実施形態において提供される装置は、ＵＥの最大信号強度を有するＲＲＵを決定し、最大信号強度を有するＲＲＵに基づいて、動作中のＲＲＵのセットをスクリーニングし、ＵＥの第１のＲＲＵ対のセットを取得し、次に、第１のＲＲＵ対のセットに基づいて、ＵＥ対のセットを生成し、ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定し、さらに、第２のＲＲＵ対のセット及び初期ユーザ属性に従って、ＵＥの実際のユーザ属性を決定する。これにより、リソースは、ＵＥの実際のユーザ属性に従って、ＵＥに対してスケジューリングされる。ＵＥの実際のユーザ属性は、ＵＥと他のＵＥとの間の干渉状況を反映することができるので、リソースは、ＵＥの実際のユーザ属性に従って、ＵＥに対してスケジューリングされ、これにより、セル間干渉を減少させるのみならず、リソース利用効率をも向上させる。
【００５５】
図２は、本発明の実施形態に係るリソーススケジューリング装置を示す。装置は、
プロセッサ２０１と、
プロセッサ２０１によって実行可能な命令を格納するように構成されるメモリ２０２と、
を含み、
プロセッサ２０１は、
ＵＥの動作中のＲＲＵのセットを取得し、
ＵＥが動作中のＲＲＵのセットの各ＲＲＵに到達する際のＲＳＲＰに従って、ＵＥの最大信号強度を有するＲＲＵを決定し、
最大信号強度を有するＲＲＵに基づいて、動作中のＲＲＵのセットをスクリーニングし、ＵＥの第１のＲＲＵ対のセットを生成し、
第１のＲＲＵ対のセットに基づいて、ＵＥ対のセットを生成し、
ＵＥにサービスを提供するＲＲＵが第１のＲＲＵ対のセットに存在するか否かを決定し、
ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定し、
第２のＲＲＵ対のセット及びＵＥの初期ユーザ属性に従って、ＵＥの実際のユーザ属性を決定し、
ＵＥの実際のユーザ属性に従って、ＵＥへのリソースをスケジューリングする
ように構成される。
【００５６】
選択的に、ＵＥの動作中のＲＲＵのセットを取得する場合に、プロセッサ２０１は、ＵＥにサービスを提供する各ＲＲＵを決定し、ＲＲＵによって形成された動作中のＲＲＵのセットを取得するように具体的に構成される、又は、ＵＥの動作中のＲＲＵのセットを取得する場合に、プロセッサ２０１は、ＵＥの分離範囲に従って、ＵＥにサービスを提供する各ＲＲＵを決定し、ＲＲＵによって形成された動作中のＲＲＵのセットを取得するように具体的に構成される。
【００５７】
選択的に、第１のＲＲＵ対のセットに基づいて、ＵＥ対のセットを生成する場合に、プロセッサ２０１は、第１のＲＲＵ対のセットの各ＲＲＵによってサービスされるＵＥを取得し、第１のＲＲＵ対のセットのＲＲＵによってサービスされるＵＥを用いることによって、ＵＥ対のセットを形成するように具体的に構成される、又は、第１のＲＲＵ対のセットに基づいて、ＵＥ対のセットを生成する場合に、プロセッサ２０１は、第１のＲＲＵ対のセットの各ＲＲＵによってサービスされるＵＥを取得し、各ＲＲＵがサービスを提供するＵＥからＢＦユーザをスクリーンアウトし、スクリーンアウトされたＢＦユーザを用いることによって、ＵＥ対のセットを形成するように具体的に構成される。
【００５８】
選択的に、ＵＥにサービスを提供するＲＲＵが第１のＲＲＵ対のセットに存在するか否かを決定した後で、プロセッサ２０１は、ＵＥにサービスを提供するＲＲＵが第１のＲＲＵ対のセットに存在しない場合に、ＵＥの実際のユーザ属性が初期ユーザ属性であると決定するようにさらに構成される。
【００５９】
選択的に、第１のＲＲＵ対のセット及びＵＥ対のセットに従って、ＵＥの第２のＲＲＵ対のセットを決定する場合に、プロセッサ２０１は、ＵＥ対のセットの各ＵＥのサービスタイプに従って、各ＵＥの優先度を決定し、ＵＥ対のセットの各ＵＥ対及びＵＥに対して相関計算を実行し、降順で優先度に従って、各ＵＥ対がＵＥと相関を有するか否かを順に決定し、最高優先度を有するＵＥ対がＵＥと相関を有する場合に、最高優先度を有するＵＥ対の動作中のＲＲＵを取得し、第１のＲＲＵ対のセットから最高優先度を有するＵＥ対の動作中のＲＲＵを削除し、第２のＲＲＵ対のセットを取得し、最高優先度を有するＵＥ対がＵＥと相関を有さない場合に、降順で優先度に従って、第１のＲＲＵ対のセットの残りのＵＥ対がＵＥと相関を有するか否かを順に決定し、ＵＥと相関を有するＵＥ対が第１のＲＲＵ対のセットの残りのＵＥ対に存在する場合に、最高優先度を有するＵＥ対を処理する態様で、ＵＥと相関を有するＵＥ対を処理し、第２のＲＲＵ対のセットを取得するように具体的に構成される。
【００６０】
選択的に、降順で優先度に従って、残りのＵＥ対がＵＥと相関を有するか否かを順に決定した後で、プロセッサ２０１は、ＵＥと相関を有するＵＥがＵＥ対のセットの残りのＵＥ対に存在しない場合に、ＵＥの実際のユーザ属性が初期ユーザ属性であると決定するようにさらに構成される。
【００６１】
選択的に、第２のＲＲＵ対のセット及びＵＥの初期ユーザ属性に従って、ＵＥの実際のユーザ属性を決定する場合に、プロセッサ２０１は、ＵＥにサービスを提供するＲＲＵが第２のＲＲＵ対のセットに存在しない場合に、ＵＥの初期ユーザ属性に従って、ＵＥの実際のユーザ属性を決定し、ＵＥにサービスを提供するＲＲＵが第２のＲＲＵ対のセットに存在する場合に、ＵＥにサービスを提供するＲＲＵが新たな第２のＲＲＵ対のセットに存在しなくなるまで、降順で優先度に従って、第１の対のセットの残りのＵＥ対及び第１のＲＲＵ対に従って、新たな第２のＲＲＵ対を再決定するように具体的に構成される。
【００６２】
選択的に、ユーザ属性は、全ジョイントスケジューリングユーザ、部分ジョイントスケジューリングユーザ、又は独立スケジューリングユーザであり、
ＵＥの初期ユーザ属性に従って、ＵＥの実際のユーザ属性を決定する場合に、プロセッサ２０１は、ＵＥの初期ユーザ属性が全ジョイントスケジューリングユーザである場合に、ＵＥの実際のユーザ属性が部分ジョイントスケジューリングユーザであると決定し、ＵＥの初期ユーザ属性が部分ジョイントスケジューリングユーザである場合に、ＵＥの実際のユーザ属性が独立スケジューリングユーザであると決定するように具体的に構成される。
【００６３】
選択的に、ＵＥの初期ユーザ属性に従って、ＵＥの実際のユーザ属性を決定した後で、プロセッサ２０１は、ＵＥがＢＦユーザである場合に、ＵＥのビーム方向に対して重み付け処理を実行するようにさらに構成される。
【００６４】
本発明の本実施形態において提供される装置は、ＵＥの最大信号強度を有するＲＲＵを決定し、最大信号強度を有するＲＲＵに基づいて、動作中のＲＲＵのセットをスクリーニングし、ＵＥの第１のＲＲＵ対のセットを取得し、次に、第１のＲＲＵ対のセットに基づいて、ＵＥ対のセットを生成し、ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定し、さらに、第２のＲＲＵ対のセット及び初期ユーザ属性に従って、ＵＥの実際のユーザ属性を決定する。これにより、リソースは、ＵＥの実際のユーザ属性に従って、ＵＥに対してスケジューリングされる。ＵＥの実際のユーザ属性は、ＵＥと他のＵＥとの間の干渉状況を反映することができるので、リソースは、ＵＥの実際のユーザ属性に従って、ＵＥに対してスケジューリングされ、これにより、セル間干渉を減少させるのみならず、リソース利用効率をも向上させる。
【００６５】
本発明の実施形態は、リソーススケジューリング方法を提供する。図３を参照すると、本実施形態において提供される方法の手続きは、以下を含む。
【００６６】
３０１：ＵＥの動作中のＲＲＵのセットを取得する。
【００６７】
３０２：ＵＥが動作中のＲＲＵのセットの各ＲＲＵに到達する際のＲＳＲＰに従って、ＵＥの最大信号強度を有するＲＲＵを決定する。
【００６８】
３０３：最大信号強度を有するＲＲＵに基づいて、動作中のＲＲＵのセットをスクリーニングし、ＵＥの第１のＲＲＵ対のセットを生成する。
【００６９】
３０４：第１のＲＲＵ対のセットに基づいて、ＵＥ対のセットを生成する。
【００７０】
３０５：ＵＥにサービスを提供するＲＲＵが第１のＲＲＵ対のセットに存在するか否かを決定する。
【００７１】
３０６：ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定する。
【００７２】
３０７：第２のＲＲＵ対のセット及びＵＥの初期ユーザ属性に従って、ＵＥの実際のユーザ属性を決定する。
【００７３】
３０８：ＵＥの実際のユーザ属性に従って、ＵＥへのリソースをスケジューリングする。
【００７４】
本発明の本実施形態において提供される方法によれば、ＵＥの最大信号強度を有するＲＲＵが決定され、動作中のＲＲＵのセットは、最大信号強度を有するＲＲＵに基づいてスクリーニングされ、ＵＥの第１のＲＲＵ対のセットを得る。次に、ＵＥ対のセットが、第１のＲＲＵ対のセットに基づいて生成される。ＵＥにサービスを提供するＲＲＵが第１のＲＲＵ対のセットに存在する場合に、ＵＥの第２のＲＲＵ対のセットは、第１のＲＲＵ対のセット及びＵＥ対のセットに従って、決定される。さらに、ＵＥの実際のユーザ属性は、第２のＲＲＵ対のセット及び初期ユーザ属性に従って決定され、これにより、リソースは、ＵＥの実際のユーザ属性に従って、ＵＥに対してスケジューリングされる。ＵＥの実際のユーザ属性は、ＵＥと他のＵＥとの間の干渉状況を反映することができるので、リソースは、ＵＥの実際のユーザ属性に従って、ＵＥに対してスケジューリングされ、これにより、セル間干渉を減少させるのみならず、リソース利用効率をも向上させる。
【００７５】
選択的に、ＵＥの動作中のＲＲＵのセットを取得する段階は、
ＲＲＵによって形成された動作中のＲＲＵのセットを取得すべく、ＵＥにサービスを提供する各ＲＲＵを決定する段階、又は、
ＲＲＵによって形成された動作中のＲＲＵのセットを取得すべく、ＵＥの分離範囲に従って、ＵＥにサービスを提供する各ＲＲＵを決定する段階
を含む。
【００７６】
選択的に、第１のＲＲＵ対のセットに基づいて、ＵＥ対のセットを生成する段階は、
第１のＲＲＵ対のセットの各ＲＲＵによってサービスされるＵＥを取得し、第１のＲＲＵ対のセットのＲＲＵによってサービスされるＵＥを用いることによって、ＵＥ対のセットを形成する段階、又は、
第１のＲＲＵ対のセットの各ＲＲＵによってサービスされるＵＥを取得し、各ＲＲＵによってサービスされるＵＥからＢＦユーザをスクリーンアウトし、スクリーンアウトされたＢＦユーザを用いることによって、ＵＥ対のセットを形成する段階
を含む。
【００７７】
選択的に、ＵＥにサービスを提供するＲＲＵが第１のＲＲＵ対のセットに存在するか否かを決定する段階の後で、方法は、ＵＥにサービスを提供するＲＲＵが第１のＲＲＵ対のセットに存在しない場合に、ＵＥの実際のユーザ属性が初期ユーザ属性であると決定する段階をさらに含む。
【００７８】
選択的に、第１のＲＲＵ対のセット及びＵＥ対のセットに従って、ＵＥの第２のＲＲＵ対のセットを決定する段階は、
ＵＥ対のセットの各ＵＥのサービスタイプに従って、各ＵＥの優先度を決定する段階と、
ＵＥ対のセットの各ＵＥ対及びＵＥに対して相関計算を実行する段階と、
降順で優先度に従って、各ＵＥ対がＵＥと相関を有するか否かを順に決定する段階と、
最高優先度を有するＵＥ対がＵＥと相関を有する場合に、最高優先度を有するＵＥ対の動作中のＲＲＵを取得し、第２のＲＲＵ対のセットを取得すべく、第１のＲＲＵ対のセットから最高優先度を有するＵＥ対の動作中のＲＲＵを削除する段階と、
最高優先度を有するＵＥ対がＵＥと相関を有さない場合に、降順で優先度に従って、第１の対のセットの残りのＵＥ対がＵＥと相関を有するか否かを順に決定し、ＵＥと相関を有するＵＥ対が第１の対のセットの残りのＵＥ対に存在する場合に、第２のＲＲＵ対のセットを取得すべく、最高優先度を有するＵＥ対を処理する態様で、ＵＥと相関を有するＵＥ対を処理する段階と、
を含む。
【００７９】
選択的に、降順で優先度に従って、残りのＵＥ対がＵＥと相関を有するか否かを順に決定する段階の後で、方法は、ＵＥと相関を有するＵＥが残りのＵＥ対に存在しない場合に、ＵＥの実際のユーザ属性が初期ユーザ属性であると決定する段階をさらに含む。
【００８０】
選択的に、第２のＲＲＵ対のセット及びＵＥの初期ユーザ属性に従って、ＵＥの実際のユーザ属性を決定する段階は、
ＵＥにサービスを提供するＲＲＵが第２のＲＲＵ対のセットに存在しない場合に、ＵＥの初期ユーザ属性に従って、ＵＥの実際のユーザ属性を決定する段階と、
ＵＥにサービスを提供するＲＲＵが第２のＲＲＵ対のセットに存在する場合に、降順で優先度に従って、ＵＥにサービスを提供するＲＲＵが新たな第２のＲＲＵ対のセットに存在しなくなるまで、残りのＵＥ対及び第１のＲＲＵ対のセットに従って、新たな第２のＲＲＵ対を再決定する段階と、
を含む。
【００８１】
選択的に、ユーザ属性は、全ジョイントスケジューリングユーザ、部分ジョイントスケジューリングユーザ、又は独立スケジューリングユーザであり、
ＵＥの初期ユーザ属性に従って、ＵＥの実際のユーザ属性を決定する段階は、
ＵＥの初期ユーザ属性が全ジョイントスケジューリングユーザである場合に、ＵＥの実際のユーザ属性が部分ジョイントスケジューリングユーザであると決定する段階と、
ＵＥの初期ユーザ属性が部分ジョイントスケジューリングユーザである場合に、ＵＥの実際のユーザ属性が独立スケジューリングユーザであると決定する段階と、
を含む。
【００８２】
選択的に、ＵＥの初期ユーザ属性に従って、ＵＥの実際のユーザ属性を決定する段階の後で、方法は、ＵＥがＢＦユーザである場合に、ＵＥのビーム方向に対して重み付け処理を実行する段階をさらに含む。
【００８３】
前述した選択的な技術的解決手段の全ては、本発明の選択的な実施形態を形成すべく、ランダムに組み合わせ可能である。これらは、本明細書においては１つ１つ詳細に説明されない。
【００８４】
図３に示される実施形態を参照すると、本発明の実施形態は、リソーススケジューリング方法を提供する。例えば、リソーススケジューリングは、現在スケジューリング対象のＵＥに対して実行される。図４を参照すると、本実施形態において提供される方法の手続きは、以下を含む。
【００８５】
４０１：ＵＥの初期ユーザ属性を取得する。
【００８６】
初期ユーザ属性は、現在スケジューリング対象のＵＥと他のＵＥとの間の干渉状況を反映することができる。これは、現在スケジューリング対象のＵＥへのリソーススケジューリングにとって重要な参照であり、従って、リソーススケジューリングが本実施形態において提供される方法を用いることによって実行される前に、現在スケジューリング対象のＵＥの初期ユーザ属性が、最初に取得される必要がある。初期ユーザ属性は、全ジョイントスケジューリングユーザ、部分ジョイントスケジューリングユーザ、独立スケジューリングユーザ等であり、初期ユーザ属性は、本実施形態に特に限定されるものではない。
【００８７】
ＬＴＥシステムにおけるセル間干渉を減少させるべく、概して、複数の別個のＲＲＵが組み合わせられて、論理セルをなす。複数のＲＲＵによって形成された論理セルに基づいて、ＵＥの初期ユーザ属性を決定することは、限定されるものではないが、各ＵＥにサービスを提供するＲＲＵの数に従って、各ＵＥのユーザ属性を決定することを含む。具体的には、複数のＲＲＵによって形成された論理セルにおける全てのＲＲＵが、ＵＥにサービスを提供する場合、ＵＥの初期ユーザ属性は全ジョイントスケジューリングユーザであると決定される。複数のＲＲＵによって形成された論理セルにおけるいくつかのＲＲＵがＵＥにサービスを提供する場合、ＵＥの初期ユーザ属性は部分ジョイントスケジューリングユーザであると決定される。複数のＲＲＵによって形成された論理セルにおける１つのＲＲＵがＵＥにサービスを提供する場合、ＵＥの初期ユーザ属性は独立スケジューリングユーザであると決定される。
【００８８】
各ＵＥにサービスを提供するＲＲＵの数を決定する態様は、限定されるものではないが、以下の態様を含む。すなわち、ＵＥの位置情報を取得し、ＵＥの位置情報に従って、ＵＥにサービスを提供するＲＲＵの数を決定する。具体的には、ＵＥと各ＲＲＵとの間の距離が第１の予め設定された距離より小さい場合、全てのＲＲＵがＵＥにサービスを提供すると決定され、この場合、ＵＥの初期ユーザ属性は、全ジョイントスケジューリングユーザである。ＵＥといくつかのＲＲＵとの間の距離が第１の予め設定された距離より小さい場合、いくつかのＲＲＵがＵＥにサービスを提供すると決定され、この場合、ＵＥの初期ユーザ属性は、部分ジョイントスケジューリングユーザである。ＵＥと１つのＲＲＵとの間の距離が第１の予め設定された距離より小さい場合、１つのＲＲＵがＵＥにサービスを提供すると決定され、この場合、ＵＥの初期ユーザ属性は、独立スケジューリングユーザである。第１の予め設定された距離は、３０メートル、５０メートル等であってよく、第１の予め設定された距離は、本実施形態に特に限定されるものではない。
【００８９】
さらに、各ＵＥにサービスを提供するＲＲＵの数を決定する前述の態様を用いることに加えて、初期ユーザ属性は、干渉強度情報に従って、決定されてもよい。ＵＥと各ＲＲＵとの間の干渉強度が第１の予め設定された閾値より大きい場合、全てのＲＲＵがＵＥにサービスを提供すると決定され、この場合、ＵＥの初期ユーザ属性は、全ジョイントスケジューリングユーザである。ＵＥといくつかのＲＲＵとの間の干渉強度が第１の予め設定された閾値より大きい場合、いくつかのＲＲＵがＵＥにサービスを提供すると決定され、この場合、ＵＥの初期ユーザ属性は、部分ジョイントスケジューリングユーザである。ＵＥと１つのＲＲＵとの間の干渉強度が第１の予め設定された閾値より大きい場合、１つのＲＲＵがＵＥにサービスを提供すると決定され、この場合、ＵＥの初期ユーザ属性は、独立スケジューリングユーザである。第１の予め設定された閾値は、１、２、３等であってよく、第１の予め設定された閾値は、本実施形態に特に限定されるものではない。
【００９０】
前述のプロセスを容易に理解するために、詳細な説明が、以下、具体例を用いることによってなされる。
【００９１】
図５は、複数のＲＲＵによって形成された論理セルの模式図である。図５から、論理セルは、それぞれＲＲＵ１、ＲＲＵ２、及びＲＲＵ３である３つのＲＲＵを含み、論理セルは、それぞれＵＥ１、ＵＥ２、ＵＥ３、及びＵＥ４である４つのＵＥを含むことが認識されよう。ＵＥ１にサービスを提供するＲＲＵは、ＲＲＵ１及びＲＲＵ２であり、ＵＥ２にサービスを提供するＲＲＵは、ＲＲＵ１、ＲＲＵ２、及びＲＲＵ３であり、ＵＥ３にサービスを提供するＲＲＵは、ＲＲＵ１であり、ＵＥ４にサービスを提供するＲＲＵは、ＲＲＵ２である場合、ＵＥ１は、部分ジョイントスケジューリングユーザであり、ＵＥ２は、全ジョイントスケジューリングユーザであり、ＵＥ３は、独立スケジューリングユーザであり、ＵＥ４は、独立スケジューリングユーザであると決定される。
【００９２】
４０２：ＵＥにサービスを提供する各ＲＲＵを決定し、ＲＲＵによって形成される動作中のＲＲＵのセットを取得する。
【００９３】
ＵＥの位置及び信号条件は異なるので、論理セルにおいてＵＥにサービスを提供するＲＲＵも異なる。論理セルにおけるＵＥと各ＲＲＵとの間の距離が第２の予め設定された距離より小さく、全てのＲＲＵの間の干渉が比較的顕著である場合、全てのＲＲＵは、ＵＥのサービングＲＲＵとして用いられ、全てのＲＲＵによって形成されたセットは、ＵＥの動作中のＲＲＵのセットとして用いられる。論理セルにおけるＵＥといくつかのＲＲＵとの間の距離が第２の予め設定された距離より小さく、これらのＲＲＵと他のＲＲＵとの間の干渉が比較的顕著である場合、これらのＲＲＵは、ＵＥのサービングＲＲＵとして用いられ、これらのＲＲＵによって形成されたセットは、ＵＥの動作中のＲＲＵのセットとして用いられる。論理セルにおけるＵＥと１つのＲＲＵとの間の距離が、第２の予め設定された距離より小さく、ＲＲＵと他のＲＲＵとの間の干渉が顕著ではない場合、ＲＲＵは、ＵＥのサービングＲＲＵとして用いられ、ＲＲＵによって形成されたセットは、ＵＥの動作中のＲＲＵのセットとして用いられる。第２の予め設定された距離は、１０メートル、２０メートル、５０メートル等であってよく、第２の予め設定された距離は、本実施形態に特に限定されるものではない。
【００９４】
４０３：ＵＥが動作中のＲＲＵのセットの各ＲＲＵに到達する際のＲＳＲＰに従って、ＵＥの最大信号強度を有するＲＲＵを決定する。
【００９５】
ＬＴＥネットワークにおけるＲＳＲＰは、無線信号強度の重要なパラメータ及び物理層測定要件の１つを表してよく、具体的な符号が参照信号を保持する全てのＲＥ（リソースエレメント）において受信された信号の電力の平均値である。ＲＳＲＰの単位は、ｄｂｍである。本実施形態において、最大信号強度を有するＲＲＵは、ＵＥが最大強度の信号を受信するＲＲＵである。
【００９６】
ＵＥが動作中のＲＲＵのセットの各ＲＲＵに到達する際のＲＳＲＰに従って、ＵＥの最大信号強度を有するＲＲＵを決定する態様は、限定されるものではないが、
最初に、ＵＥによって送信され、かつ、ＵＥが動作中のＲＲＵのセットの各ＲＲＵに到達する際のＲＳＲＰを保持するテスト報告を受信することと、
次に、ＵＥが動作中のＲＲＵのセットに到達する際のＲＳＲＰの中で最大のＲＳＲＰを有するＲＲＵを、最大信号強度を有するＲＲＵとして用いることと、
を含む。
【００９７】
前述のプロセスについて、理解を容易にするために、詳細な説明が、以下、具体例を用いることによってなされる。
【００９８】
例えば、任意のＵＥの動作中のＲＲＵのセットが、４つのＲＲＵ、それぞれ、ＲＲＵ１、ＲＲＵ２、ＲＲＵ３、及びＲＲＵ４を含むような態様で設定される。ＵＥがＲＲＵ１に到達する際のＲＳＲＰが３ｄｂｍであり、ＵＥがＲＲＵ２に到達する際のＲＳＲＰが６ｄｂｍであり、ＵＥがＲＲＵ３に到達する際のＲＳＲＰが２ｄｂｍであり、ＵＥがＲＲＵ４に到達する際のＲＳＲＰが７ｄｂｍである場合、ＵＥの最大信号強度を有するＲＲＵはＲＲＵ４であると決定される。
【００９９】
４０４：最大信号強度を有するＲＲＵに基づいて、動作中のＲＲＵのセットをスクリーニングし、ＵＥの第１のＲＲＵ対のセットを生成する。
【０１００】
最大信号強度を有するＲＲＵが取得された後で、本実施形態において提供される方法によれば、動作中のＲＲＵのセットは、最大信号強度を有するＲＲＵに基づいてさらにスクリーニングされ、第１のＲＲＵ対のセットを生成する。
【０１０１】
ＵＥの第１のＲＲＵ対のセットを生成すべく、最大信号強度を有するＲＲＵに基づいて、動作中のＲＲＵのセットをスクリーニングする段階は、限定されるものではないが、動作中のＲＲＵのセットから最大信号強度を有するＲＲＵを削除し、動作中のＲＲＵのセットの残りのＲＲＵを用いることによって、第１のＲＲＵ対のセットを形成する段階を含む。例えば、任意のＵＥの動作中のＲＲＵのセットが、４つのＲＲＵ、それぞれ、ＲＲＵ１、ＲＲＵ２、ＲＲＵ３、及びＲＲＵ４を含むような態様で設定される。ＲＲＵ１は、ＵＥの最大信号強度を有するＲＲＵであり、ＲＲＵ１がＵＥの動作中のＲＲＵのセットから削除された後で、第１のＲＲＵ対のセットは、動作中のＲＲＵのセットの残りのＲＲＵ、すなわち、ＲＲＵ２、ＲＲＵ３、及びＲＲＵ４を用いることによって形成される。
【０１０２】
４０５：第１のＲＲＵ対のセットの各ＲＲＵによってサービスされるＵＥを取得し、第１のＲＲＵ対のセットのＲＲＵによってサービスされるＵＥを用いることによって、ＵＥ対のセットを形成する。
【０１０３】
本実施形態において提供されるリソーススケジューリング方法によれば、リソーススケジューリングが現在スケジューリング対象のＵＥに対して実行される場合に、対をなし得るＵＥ対は、主に、現在スケジューリング対象のＵＥについての、ＵＥ対のセットから見出される。次に、現在スケジューリング対象のＵＥの初期ユーザ属性は、ＵＥに対するリソーススケジューリングを実装し、セル間干渉を減少させ、リソース利用効率を向上させるように変化する。従って、リソーススケジューリングが実行される前に、ＵＥ対のセットは、本実施形態において提供される方法を用いることによって、決定される必要がある。
【０１０４】
ＵＥ対のセットが決定された場合、第１のＲＲＵ対のセットの各ＲＲＵが、最初に取得されてよく、次に、各ＲＲＵによってサービスされるＵＥが取得され、さらに、ＵＥ対のセットが、各ＲＲＵがサービスを提供するＵＥに従って生成される。ＵＥ対のセットは、各ＲＲＵがサービスを提供するＵＥを含む。例えば、第１のＲＲＵ対のセットは、ＲＲＵ１、ＲＲＵ２、及びＲＲＵ３を含み、ＲＲＵ１がサービスを提供するＵＥは、ＵＥ１及びＵＥ２であり、ＲＲＵ２がサービスを提供するＵＥは、ＵＥ３であり、ＲＲＵ３がサービスを提供するＵＥは、ＵＥ１及びＵＥ４である。ＵＥ対のセットは、各ＲＲＵがサービスを提供するＵＥに従って得られてよく、これにより、ＵＥ対のセットは、ＵＥ１、ＵＥ２、ＵＥ３、及びＵＥ４を含む。
【０１０５】
４０６：ＵＥにサービスを提供するＲＲＵが第１のＲＲＵ対のセットに存在するか否かを決定する。是の場合、段階４０７を実行する。
【０１０６】
本実施形態において、ＵＥにサービスを提供するＲＲＵが第１のＲＲＵ対のセットに存在するか否かは、ＵＥと対をなすＵＥ対が、ＵＥ対のセットから見出され得るか否かを決定する。ＵＥにサービスを提供するＲＲＵが第１のＲＲＵ対のセットに存在する場合に、ＵＥと対をなすＵＥ対が、ＵＥ対のセットから見出され得ることを示す。この場合のみが、本発明の本実施形態における説明の例として用いられ、詳細については、後続の段階４０７から段階４０９が参照されてよい。本発明の他の実施形態において、ＵＥにサービスを提供するＲＲＵが第１のＲＲＵ対のセットに存在しない場合に、ＵＥと対をなすＵＥ対が、ＵＥ対のセットから見出され得ないことを示す。この場合、ＵＥの実際のユーザ属性は初期ユーザであると決定され、これにより、リソースは、ＵＥの初期ユーザ属性に従って、ＵＥに対してスケジューリングされる。
【０１０７】
４０７：第１のＲＲＵ対のセット及びＵＥ対のセットに従って、ＵＥの第２のＲＲＵ対のセットを決定する。
【０１０８】
具体的には、第１のＲＲＵ対のセット及びＵＥ対のセットに従って、ＵＥの第２のＲＲＵ対のセットを決定する態様は、限定されるものではないが、以下の段階を含む。
【０１０９】
第１の段階：ＵＥ対のセットの各ＵＥのサービスタイプに従って、各ＵＥの優先度を決定する。
【０１１０】
ＵＥのサービスタイプは、低い優先度のサービス、高い優先度のサービス等であり、ＵＥのサービスタイプは、本実施形態に特に限定されるものではない。各ＵＥの優先度がＵＥ対のセットの各ＵＥのサービスタイプに従って決定される場合、ＵＥ対のセットのＵＥは、最初に、対のセットのＵＥのサービス優先度の降順でソートされ、次に、各ＵＥの優先度がソート結果に従って決定される。例えば、ＵＥ対のセットに含まれるＵＥは、ＵＥ１、ＵＥ２、及びＵＥ３であり、ＵＥ１のサービスタイプが高い優先度である場合、ＵＥ２のサービスタイプは低い優先度であり、ＵＥ３のサービスタイプは比較的高い優先度であり、対のセットのＵＥは、ＵＥ対のセットの各ＵＥのサービス優先度に従ってソートされ、ＵＥ１＞ＵＥ３＞ＵＥ２というソート結果が得られてよく、これにより、ソート結果に従って、ＵＥ対のセットのＵＥの優先度の順序がＵＥ１＞ＵＥ３＞ＵＥ２であると決定される。
【０１１１】
第２の段階：ＵＥ対のセットの各ＵＥ対及びＵＥに対して相関計算を実行する。
【０１１２】
ＵＥ対のセットの各ＵＥ対及びＵＥに対して相関計算を実行する態様は、限定されるものではないが、直交性係数Ｏｒｔｈｖａｌ公式を用いることによって、計算を実行する段階を含む。
【０１１３】
直交性係数Ｏｒｔｈｖａｌ公式は、
【数１】
0006522749.tif 000002
である。ここで、ρ２は、ユーザｕとユーザｖとの間の相関であり、Ｗｕは、ユーザｕの重みベクトルであり、Ｈは、転置された符号であり、Ｗｖは、ユーザｖの重みベクトルである。
【０１１４】
第３の段階：降順で優先度に従って、各ＵＥ対がＵＥと相関を有するか否かを順に決定する。
【０１１５】
降順で優先度に従って、各ＵＥ対がＵＥと相関を有するか否かが順に決定される場合に、ＵＥ対とＵＥとの間の相関ρ２が第２の予め設定された閾値より大きい場合、ＵＥ対はＵＥと相関を有すると決定され、又は、ＵＥ対とＵＥとの間の相関ρ２が第２の予め設定された閾値より小さい場合、ＵＥ対はＵＥと相関を有さないと決定される。第２の予め設定された閾値は、１、２、３等であってよく、第２の予め設定された閾値は、本実施形態に特に限定されるものではない。
【０１１６】
第４の段階：最高優先度を有するＵＥ対がＵＥと相関を有する場合、最高優先度を有するＵＥ対の動作中のＲＲＵを取得し、第１のＲＲＵ対のセットから最高優先度を有するＵＥ対の動作中のＲＲＵを削除し、第２のＲＲＵ対のセットを取得する。
【０１１７】
最高優先度を有するＵＥ対がＵＥと相関を有する場合、最高優先度を有するＵＥ対とＵＥとは、問題なく対をなすことができることを示す。この場合、最高優先度を有するＵＥ対の動作中のＲＲＵが取得されてよく、さらに、最高優先度を有するＵＥ対の動作中のＲＲＵは、第１のＲＲＵ対のセットから削除され、第２の対のＲＵＵのセットは、第１のＲＲＵ対のセットの残りのＲＲＵを用いることによって形成される。
【０１１８】
最高優先度を有するＵＥ対の動作中のＲＲＵが第１のＲＲＵ対のセットから削除される場合に、第１のＲＲＵ対のセットに含まれるＲＲＵのみが削除され、第１のＲＲＵ対のセットに含まれないＲＲＵに対しては、削除処理が実行される必要はないことに留意されたい。
【０１１９】
さらに、最高優先度を有するＵＥ対がＵＥと相関を有さない場合に、この場合、２番目に高い優先度を有するＵＥ対がＵＥと相関を有するか否かが計算されてよい。２番目に高い優先度を有するＵＥ対がＵＥと相関を有する場合、２番目に高い優先度を有するＵＥ対の動作中のＲＲＵが取得され、２番目に高い優先度を有するＵＥ対の動作中のＲＲＵは、第１のＲＲＵ対から削除され、第２のＲＲＵ対のセットは、第１のＲＲＵ対のセットの残りのＲＲＵを用いることによって形成される。２番目に高い優先度を有するＵＥ対がＵＥと相関を有さない場合、残りのＵＥ対がＵＥと相関を有するか否かが順に決定され、ＵＥと相関を有するＵＥ対が残りのＵＥ対に存在する場合、残りのＵＥ対のＵＥと相関を有するＵＥ対は、最高優先度を有するＵＥ対を処理する態様で処理され、第２のＲＲＵ対のセットを取得する。このプロセスにおいて、残りのＵＥ対の全ＵＥが検討される場合、ＵＥと相関を有するＵＥ対は存在せず、ＵＥの実際のユーザ属性が初期ユーザ属性であると決定されてよい。
【０１２０】
４０８：第２のＲＲＵ対のセット及びＵＥの初期ユーザ属性に従って、ＵＥの実際のユーザ属性を決定する。
【０１２１】
第２のＲＲＵ対のセット及びＵＥの初期ユーザ属性に従って、ＵＥの実際のユーザ属性を決定する態様は、限定されるものではないが、以下の２つのケースを含む。
【０１２２】
第１のケース：ＵＥにサービスを提供するＲＲＵが第２のＲＲＵ対のセットに存在しない場合、ＵＥの実際のユーザ属性は、ＵＥの初期ユーザ属性に従って決定される。
【０１２３】
第１のケースでは、ＵＥにサービスを提供するＲＲＵが第２のＲＲＵ対のセットに存在しない場合、相関を有するＵＥ対がＵＥと問題なく対をなすことが示される。この場合、ＵＥの実際のユーザ属性は、ＵＥの初期ユーザ属性に従って決定される。具体的には、ＵＥの初期ユーザ属性が全ジョイントスケジューリングユーザである場合、ＵＥの実際のユーザ属性は部分ジョイントスケジューリングユーザであると決定される。ＵＥの初期ユーザ属性が部分ジョイントスケジューリングユーザである場合、ＵＥの実際のユーザ属性は独立スケジューリングユーザであると決定される。
【０１２４】
ＵＥの実際のユーザ属性が、本実施形態において提供される方法に従って決定された後で、ＵＥがＢＦユーザであるか否かがさらに決定され、ＵＥがＢＦユーザである場合、重み付け処理が、ＵＥのビーム方向に対して実行される。ＵＥのビーム方向に対して重み付け処理を実行する態様は、限定されるものではないが、各次元のビーム方向の係数を調整する段階を含み、これにより、ＵＥによって調整されたヌル形成（Ｎｕｌｌ  Ｆｏｒｍｉｎｇ）が、ＵＥ対に向けられる。
【０１２５】
第２のケース：ＵＥにサービスを提供するＲＲＵが第２のＲＲＵ対のセットに存在する場合、新たな第２の対のセットが決定され、これにより、新たな第２の対のセットに従って、ＵＥの実際のユーザ属性を決定する。
【０１２６】
第２のケースでは、ＵＥにサービスを提供するＲＲＵが第２のＲＲＵ対のセットに存在しない場合、相関を有するＵＥ対がＵＥと問題なく対をなさないことを示す。この場合、ＵＥにサービスを提供するＲＲＵが新たな第２のＲＲＵ対のセットに存在しなくなるまで、降順で優先度に従って、新たな第２のＲＲＵ対のセットが、残りのＵＥ対及び第１のＲＲＵ対のセットに従って再決定され、ＵＥは、相関を有するＵＥ対と問題なく対をなすことができる。このプロセスにおいて、残りのＵＥ対の全ＵＥが検討される場合、問題なくＵＥの対をなし得る新たな第２のＲＲＵ対のセットは決定されることができず、ＵＥの初期ユーザ属性が、ＵＥの実際のユーザ属性として用いられる。
【０１２７】
４０９：ＵＥの実際のユーザ属性に従って、ＵＥへのリソースをスケジューリングする。
【０１２８】
ＵＥの実際のユーザ属性が決定された後で、リソースは、ＵＥの実際のユーザ属性に基づいて、ＵＥに対してスケジューリングされる。ＵＥの実際のユーザ属性が独立スケジューリングユーザである場合、この場合、ＵＥにサービスを提供する１つのＲＲＵが存在する。ＵＥがリソースを必要とする場合、ＲＲＵは、ＵＥへのリソースをスケジューリングして送信してよい。ＵＥの実際のユーザ属性が部分的スケジューリングユーザである場合、この場合、ＵＥにサービスを提供するＲＲＵは、論理セルのいくつかのＲＲＵである。ＵＥがリソースを必要とする場合、これらのＲＲＵは、ＵＥへのリソースをスケジューリングして送信してよい。
【０１２９】
本発明の本実施形態において提供される方法によれば、ＵＥの最大信号強度を有するＲＲＵが決定され、動作中のＲＲＵのセットは、最大信号強度を有するＲＲＵに基づいてスクリーニングされ、ＵＥの第１のＲＲＵ対のセットが取得される。次に、ＵＥ対のセットは、第１のＲＲＵ対のセットに基づいて生成され、ＵＥにサービスを提供するＲＲＵが第１のＲＲＵ対のセットに存在する場合に、ＵＥの第２のＲＲＵ対のセットは、第１のＲＲＵ対のセット及びＵＥ対のセットに従って決定される。さらに、ＵＥの実際のユーザ属性は、第２のＲＲＵ対のセット及び初期ユーザ属性に従って決定され、これにより、リソースは、ＵＥの実際のユーザ属性に従って、ＵＥに対してスケジューリングされる。ＵＥの実際のユーザ属性は、ＵＥと他のＵＥとの間の干渉状況を反映することができるので、リソースは、ＵＥの実際のユーザ属性に従って、ＵＥに対してスケジューリングされ、これにより、セル間干渉を減少させるのみならず、リソース利用効率をも向上させる。
【０１３０】
図４に示される実施形態において、ＵＥの動作中のＲＲＵのセットが取得される際に、ＵＥにサービスを提供可能な全ＲＲＵが、動作中のＲＲＵのセットのエレメントとして用いられ、比較的強い干渉を有するＲＲＵは、これらのＲＲＵに存在することがあり、リソーススケジューリングが実行される場合に、比較的強いセル間干渉をもたらす。セル間干渉を減少させるべく、実施形態は、図４に示される実施形態に基づいて、リソーススケジューリング方法を提供する。図６を参照すると、本実施形態において提供される方法の手続きは、以下の段階を含む。
【０１３１】
６０１：ＵＥの初期ユーザ属性を取得する。
【０１３２】
この段階の具体的な実装態様は、段階４０１のものと同じである。詳細については、段階４０１を参照されたい。詳細は、本明細書においては再度説明されない。
【０１３３】
６０２：ＵＥの分離範囲に従って、ＵＥにサービスを提供する各ＲＲＵを決定し、ＲＲＵによって形成される動作中のＲＲＵのセットを取得する。
【０１３４】
分離は、無線リピータによってカバーされるアンテナポートとドナーアンテナとの間の信号損失である。分離は、鉛直分離と水平分離とに分類されてよい。分離は、リピータ用途において重要な要因であり、セル間干渉を反映してよい。
【０１３５】
セル間干渉を減少させ、システムリソース利用効率を向上させるべく、本実施形態において、ＵＥの動作中のＲＲＵのセットが取得される場合、ＵＥにサービスを提供する各ＲＲＵは、ＵＥの分離範囲に従ってさらに決定され、動作中のＲＲＵのセットは、ＵＥにサービスを提供するＲＲＵを用いることによって形成され、これにより、動作中のＲＲＵのセットを取得する。
【０１３６】
ＵＥの分離範囲に従って、ＵＥにサービスを提供する各ＲＲＵを決定する段階は、限定されるものではないが、分離計算式に従って決定する段階を含む。分離計算式は、
【数２】
0006522749.tif 000003
であり、ここで、ｇは、分離であり、Ｎ１は、中間数であり、Ｎ１の値は、０、１、２、…、又はＮ−１であり、ｉ１の値は、０、１、２、…、又はＮ−１であり、ｉ２の値は、０、１、２、…、又はＮ−１であり、Ｍは、サイクル数であり、Ｍ＝Ｎ−１であり、Ｎは、ＲＲＵの数であり、Ｄｉ＝ＲＳＲＰ［０］−ＲＳＲＰ［ｉ］であり、ここで、ｉ＝ｉ１又はｉ２である。具体的な計算プロセスは、以下の通りである。
【０１３７】
（１）ＵＥがＲＲＵに到達する際のＲＳＲＰが、降順でソートされる。ソートされたＲＳＲＰ値は、ＲＳＲＰ［ｉ］として示され、ソートされた番号は、ＲＳＲＰ［ｉ］として示される。
【０１３８】
（２）差演算が、ＲＳＲＰ［０］及びＲＳＲＰ［ｉ］に対して実行され、Ｄｉを得る。
【０１３９】
（３）Ｄｉの値が分離式に置換され、ＵＥがＲＲＵに到達する際の分離を得る。
【０１４０】
（４）Ｎ１の値は漸増し、（１）から（３）がＮ回繰り返し実行され、Ｎの分離を得る。
【０１４１】
（５）得られたＮの分離は、第３の予め設定された閾値と比較され、第３の予め設定された閾値より小さい分離に対応するＲＲＵを用いることによって、動作中のＲＲＵのセットが形成される。第３の予め設定された閾値は、０、１、２等であってよいが、第３の予め設定された閾値は、本実施形態に特に限定されるものではない。
【０１４２】
６０３：ＵＥが動作中のＲＲＵのセットの各ＲＲＵに到達する際のＲＳＲＰに従って、ＵＥの最大信号強度を有するＲＲＵを決定する。
【０１４３】
この段階の具体的な実装態様は、段階４０３のものと同じである。詳細については、段階４０３を参照されたい。詳細は、本明細書においては再度説明されない。
【０１４４】
６０４：最大信号強度を有するＲＲＵに基づいて、動作中のＲＲＵのセットをスクリーニングし、ＵＥの第１のＲＲＵ対のセットを生成する。
【０１４５】
この段階の具体的な実装態様は、段階４０４のものと同じである。詳細については、段階４０４を参照されたい。詳細は、本明細書においては再度説明されない。
【０１４６】
６０５：第１のＲＲＵ対のセットの各ＲＲＵがサービスを提供するＵＥを取得し、第１のＲＲＵ対のセットのＲＲＵがサービスを提供するＵＥを用いることによって、ＵＥ対のセットを形成する。
【０１４７】
この段階の具体的な実装態様は、段階４０５のものと同じである。詳細については、段階４０５を参照されたい。詳細は、本明細書においては再度説明されない。
【０１４８】
６０６：ＵＥにサービスを提供するＲＲＵが第１のＲＲＵ対のセットに存在するか否かを決定する。
【０１４９】
この段階の具体的な実装態様は、段階４０６のものと同じである。詳細については、段階４０６を参照されたい。詳細は、本明細書においては再度説明されない。
【０１５０】
６０７：ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定する。
【０１５１】
この段階の具体的な実装態様は、段階４０７のものと同じである。詳細については、段階４０７を参照されたい。詳細は、本明細書においては再度説明されない。
【０１５２】
６０８：第２のＲＲＵ対のセットに従って、ＵＥの実際のユーザ属性を決定する。
【０１５３】
この段階の具体的な実装態様は、段階４０８のものと同じである。詳細については、段階４０８を参照されたい。詳細は、本明細書においては再度説明されない。
【０１５４】
６０９：ＵＥの実際のユーザ属性に従って、ＵＥへのリソースをスケジューリングする。
【０１５５】
この段階の具体的な実装態様は、段階４０９のものと同じである。詳細については、段階４０９を参照されたい。詳細は、本明細書においては再度説明されない。
【０１５６】
本発明の本実施形態において提供される方法によれば、ＵＥの最大信号強度を有するＲＲＵが決定され、動作中のＲＲＵのセットは、最大信号強度を有するＲＲＵに基づいてスクリーニングされ、ＵＥの第１のＲＲＵ対のセットが取得される。次に、ＵＥ対のセットは、第１のＲＲＵ対のセットに基づいて生成され、ＵＥにサービスを提供するＲＲＵが第１のＲＲＵ対のセットに存在する場合に、ＵＥの第２のＲＲＵ対のセットは、第１のＲＲＵ対のセット及びＵＥ対のセットに従って決定される。さらに、ＵＥの実際のユーザ属性は、第２のＲＲＵ対のセット及びＵＥの初期ユーザ属性に従って決定され、これにより、リソースは、ＵＥの実際のユーザ属性に従って、ＵＥに対してスケジューリングされる。ＵＥの実際のユーザ属性は、ＵＥと他のＵＥとの間の干渉状況を反映することができるので、リソースは、ＵＥの実際のユーザ属性に従って、ＵＥに対してスケジューリングされ、これにより、セル間干渉を減少させるのみならず、リソース利用効率をも向上させる。
【０１５７】
ＢＦユーザのビーム方向は、隣接セルの他のＵＥに対して比較的小さい干渉を有するＢＦユーザにのみ向けられるので、図４に示される実施形態において、ＵＥ対のセットを取得する際に、第１のＲＲＵ対のセットのＲＲＵによってサービスされる全ＵＥは、ＵＥ対のセットのエレメントとして用いられ、これらのＵＥ対は、現在スケジューリングされているＵＥに対して比較的強い干渉を有してよい。従って、セル間干渉を減少させるべく、実施形態は、図４に示される実施形態に基づいて、リソーススケジューリングを提供する。ＵＥ対のセットがリソーススケジューリング方法を用いることによって決定される場合、図４に示される実施形態において取得される第１のＲＲＵ対のセットの各ＲＲＵによってサービスされるＵＥはスクリーニングされ、ＵＥ対のセットは、スクリーンアウトされたＢＦユーザを用いることによって形成される。図７を参照すると、本実施形態において提供される方法の手続きは、以下の段階を含む。
【０１５８】
７０１：ＵＥの初期ユーザ属性を取得する。
【０１５９】
この段階の具体的な実装態様は、段階４０１のものと同じである。詳細については、段階４０１を参照されたい。詳細は、本明細書においては再度説明されない。
【０１６０】
７０２：ＵＥの位置情報又は干渉強度情報に従って、ＵＥにサービスを提供する各ＲＲＵを決定し、ＲＲＵによって形成される動作中のＲＲＵのセットを取得する。
【０１６１】
この段階の具体的な実装態様は、段階４０２のものと同じである。詳細については、段階４０２を参照されたい。詳細は、本明細書においては再度説明されない。
【０１６２】
７０３：ＵＥが動作中のＲＲＵのセットの各ＲＲＵに到達する際のＲＳＲＰに従って、ＵＥの最大信号強度を有するＲＲＵを決定する。
【０１６３】
この段階の具体的な実装態様は、段階４０３のものと同じである。詳細については、段階４０３を参照されたい。詳細は、本明細書においては再度説明されない。
【０１６４】
７０４：最大信号強度を有するＲＲＵに基づいて、動作中のＲＲＵのセットをスクリーニングし、ＵＥの第１のＲＲＵ対のセットを生成する。
【０１６５】
この段階の具体的な実装態様は、段階４０４のものと同じである。詳細については、段階４０４を参照されたい。詳細は、本明細書においては再度説明されない。
【０１６６】
７０５：第１のＲＲＵ対のセットの各ＲＲＵがサービスを提供するＵＥを取得し、各ＲＲＵがサービスを提供するＵＥからＢＦユーザをスクリーンアウトし、ＲＲＵがサービスを提供するＵＥからスクリーンアウトされたＢＦユーザを用いることによって、ＵＥ対のセットを形成する。
【０１６７】
第１のＲＲＵ対のセットは段階７０４で既に得られ、第１のＲＲＵ対のセットの各ＲＲＵは、段階７０４に基づいてこの段階で取得されているので、各ＲＲＵによってサービスされるＵＥが取得され、さらに、ＢＦユーザは、各ＲＲＵがサービスを提供するＵＥからスクリーンアウトされ、これにより、スクリーンアウトされたＢＦユーザに従って、ＵＥ対のセットを取得する。ＵＥ対のセットは、ＲＲＵがサービスを提供するＢＦユーザを含む。例えば、第１のＲＲＵ対のセットは、ＲＲＵ１、ＲＲＵ２、及びＲＲＵ３を含み、ＲＲＵ１がサービスを提供するＵＥは、ＵＥ１及びＵＥ２であり、ＲＲＵ２がサービスを提供するＵＥは、ＵＥ３であり、ＲＲＵ３がサービスを提供するＵＥは、ＵＥ１及びＵＥ４である。ＵＥ１及びＵＥ３がＢＦユーザである場合、ＵＥ１及びＵＥ３を含むセットは、ＵＥ対のセットとして用いられる。
【０１６８】
７０６：ＵＥにサービスを提供するＲＲＵが第１のＲＲＵ対のセットに存在するか否かを決定する。
【０１６９】
この段階の具体的な実装態様は、段階４０６のものと同じである。詳細については、段階４０６を参照されたい。詳細は、本明細書においては再度説明されない。
【０１７０】
７０７：ＵＥにサービスを提供するＲＲＵが第１のＲＲＵ対のセットに存在する場合に、第１のＲＲＵ対のセット及びＵＥ対のセットに従って、ＵＥの第２のＲＲＵ対のセットを決定する。
【０１７１】
この段階の具体的な実装態様は、段階４０７のものと同じである。詳細については、段階４０７を参照されたい。詳細は、本明細書においては再度説明されない。
【０１７２】
７０８：第２のＲＲＵ対のセットに従って、ＵＥの実際のユーザ属性を決定する。
【０１７３】
この段階の具体的な実装態様は、段階４０８のものと同じである。詳細については、段階４０８を参照されたい。詳細は、本明細書においては再度説明されない。
【０１７４】
７０９：ＵＥの実際のユーザ属性に従って、ＵＥへのリソースをスケジューリングする。
【０１７５】
この段階の具体的な実装態様は、段階４０９のものと同じである。詳細については、段階４０９を参照されたい。詳細は、本明細書においては再度説明されない。
【０１７６】
本発明の本実施形態において提供される方法によれば、ＵＥの最大信号強度を有するＲＲＵが決定され、動作中のＲＲＵのセットは、最大信号強度を有するＲＲＵに基づいてスクリーニングされ、ＵＥの第１のＲＲＵ対のセットが取得される。次に、ＵＥ対のセットは、第１のＲＲＵ対のセットに基づいて生成され、ＵＥにサービスを提供するＲＲＵが第１のＲＲＵ対のセットに存在する場合に、ＵＥの第２のＲＲＵ対のセットは、第１のＲＲＵ対のセット及びＵＥ対のセットに従って決定される。さらに、ＵＥの実際のユーザ属性は、第２のＲＲＵ対のセット及び初期ユーザ属性に従って決定され、これにより、リソースは、ＵＥの実際のユーザ属性に従って、ＵＥに対してスケジューリングされる。ＵＥの実際のユーザ属性は、ＵＥと他のＵＥとの間の干渉状況を反映することができるので、リソースは、ＵＥの実際のユーザ属性に従って、ＵＥに対してスケジューリングされ、これにより、セル間干渉を減少させるのみならず、リソース利用効率をも向上させる。
【０１７７】
前述の実施形態において提供されるリソーススケジューリング装置がリソーススケジューリングを実行する場合、前述の機能モジュールの分割は、説明のための例として用いられるに過ぎないことに留意されたい。実際の適用において、前述の機能は、異なる機能モジュールに割り当てられてよく、要件に従って実装されてよい。すなわち、リソーススケジューリング装置の内部構造は、異なる機能モジュールに分割され、これにより、上述された機能の全て又はこれらのいくつかを完了させる。これに加えて、前述の実施形態において提供されるリソーススケジューリング装置は、リソーススケジューリング方法の実施形態と同じ概念に属する。これらの具体的な実装プロセスでは、方法の実施形態を参照されたい。詳細は、本明細書において再度説明されない。
【０１７８】
当業者であれば、実施形態の段階の全て又はこれらのいくつかが、ハードウェア又は関連ハードウェアに命令するプログラムによって実装されてよいことを理解しよう。プログラムは、コンピュータ可読記憶媒体に格納されてよい。記憶媒体は、リードオンリメモリ、磁気ディスク、又は光ディスクを含んでよい。
【０１７９】
前述の説明は、本発明の実施形態の例示に過ぎず、本発明を限定することを意図するものではない。本発明の主旨及び原理から逸脱することなくなされたあらゆる変形、均等置換、又は改良は、本発明の保護範囲に属するものとする。
［項目１］
リソーススケジューリング装置であって、
ＵＥの動作中の遠隔無線ユニットＲＲＵのセットを取得するように構成される取得モジュールと、
上記ＵＥが上記動作中のＲＲＵのセットの各ＲＲＵに到達する際のアップリンク参照信号受信電力ＲＳＲＰに従って、上記ＵＥの最大信号強度を有するＲＲＵを決定するように構成される第１の決定モジュールと、
上記最大信号強度を有する上記ＲＲＵに基づいて、上記動作中のＲＲＵのセットをスクリーニングし、上記ＵＥの第１のＲＲＵ対のセットを生成するように構成される第１の生成モジュールと、
上記第１のＲＲＵ対のセットに基づいて、ＵＥ対のセットを生成するように構成される第２の生成モジュールと、
上記ＵＥにサービスを提供するＲＲＵが上記第１のＲＲＵ対のセットに存在するか否かを決定するように構成される判断モジュールと、
上記ＵＥにサービスを提供するＲＲＵが上記第１のＲＲＵ対のセットに存在する場合に、上記第１のＲＲＵ対のセット及び上記ＵＥ対のセットに従って、上記ＵＥの第２のＲＲＵ対のセットを決定するように構成される第２の決定モジュールと、
上記第２のＲＲＵ対のセット及び上記ＵＥの初期ユーザ属性に従って、上記ＵＥの実際のユーザ属性を決定するように構成される第３の決定モジュールと、
上記ＵＥの上記実際のユーザ属性に従って、上記ＵＥへのリソースをスケジューリングするように構成されるスケジューリングモジュールと、
を備える装置。
［項目２］
上記取得モジュールは、上記ＵＥにサービスを提供する各ＲＲＵを決定し、上記ＲＲＵによって形成された上記動作中のＲＲＵのセットを取得する、又は、上記ＵＥの分離範囲に従って、上記ＵＥにサービスを提供する各ＲＲＵを決定し、上記ＲＲＵによって形成された上記動作中のＲＲＵのセットを取得するように構成される、項目１に記載の装置。
［項目３］
上記第２の生成モジュールは、上記第１のＲＲＵ対のセットの各ＲＲＵによってサービスされるＵＥを取得し、上記第１のＲＲＵ対のセットの上記ＲＲＵによってサービスされる上記ＵＥを用いることによって、上記ＵＥ対のセットを形成する、又は、上記第１のＲＲＵ対のセットの各ＲＲＵによってサービスされるＵＥを取得し、各ＲＲＵによってサービスされる上記ＵＥからビームフォーミングＢＦユーザをスクリーンアウトし、スクリーンアウトされた上記ＢＦユーザを用いることによって、上記ＵＥ対のセットを形成するように構成される、項目１に記載の装置。
［項目４］
上記装置は、上記ＵＥにサービスを提供するＲＲＵが上記第１のＲＲＵ対のセットに存在しない場合に、上記ＵＥの上記実際のユーザ属性が上記初期ユーザ属性であると決定するように構成される第４の決定モジュールをさらに備える、項目１に記載の装置。
［項目５］
上記第２の決定モジュールは、
上記ＵＥ対のセットの各ＵＥのサービスタイプに従って、各ＵＥの優先度を決定するように構成される第１の決定ユニットと、
上記ＵＥ対のセットの各ＵＥ対及び上記ＵＥに対して相関計算を実行するように構成される計算ユニットと、
降順で上記優先度に従って、各ＵＥ対が上記ＵＥと相関を有するか否かを順に決定するように構成される判断ユニットと、
最高優先度を有するＵＥ対が上記ＵＥと相関を有する場合に、上記最高優先度を有する上記ＵＥ対の動作中のＲＲＵを取得し、上記第１のＲＲＵ対のセットから上記最高優先度を有する上記ＵＥ対の上記動作中のＲＲＵを削除し、上記第２のＲＲＵ対のセットを取得するように構成される第１の処理ユニットと、
上記最高優先度を有する上記ＵＥ対が上記ＵＥと相関を有さない場合に、降順で上記優先度に従って、上記ＵＥ対のセットの残りのＵＥ対が上記ＵＥと相関を有するか否かを順に決定し、上記ＵＥと相関を有するＵＥ対が上記ＵＥ対のセットの上記残りのＵＥ対に存在する場合に、上記最高優先度を有する上記ＵＥ対を処理する態様で、上記ＵＥと相関を有する上記ＵＥ対を処理し、上記第２のＲＲＵ対のセットを取得するように構成される第２の処理ユニットと、
を含む、項目１に記載の装置。
［項目６］
上記装置は、上記ＵＥと相関を有するＵＥが上記ＵＥ対のセットの上記残りのＵＥ対に存在しない場合に、上記ＵＥの上記実際のユーザ属性が上記初期ユーザ属性であると決定するように構成される第５の決定モジュールをさらに備える、項目５に記載の装置。
［項目７］
上記第３の決定モジュールは、
上記ＵＥにサービスを提供するＲＲＵが上記第２のＲＲＵ対のセットに存在しない場合に、上記ＵＥの上記初期ユーザ属性に従って、上記ＵＥの上記実際のユーザ属性を決定するように構成される第１の決定ユニットと、
上記ＵＥにサービスを提供するＲＲＵが上記第２のＲＲＵ対のセットに存在する場合に、上記ＵＥにサービスを提供するＲＲＵが新たな第２のＲＲＵ対のセットに存在しなくなるまで、降順で優先度に従って、上記ＵＥ対のセットの残りのＵＥ対及び上記第１のＲＲＵ対のセットに従って、上記新たな第２のＲＲＵ対のセットを再決定するように構成される第２の決定ユニットと、
を含む、項目１に記載の装置。
［項目８］
上記ユーザ属性は、全ジョイントスケジューリングユーザ、部分ジョイントスケジューリングユーザ、又は独立スケジューリングユーザであり、
上記第１の決定ユニットは、
上記ＵＥの上記初期ユーザ属性が全ジョイントスケジューリングユーザである場合に、上記ＵＥの上記実際のユーザ属性が部分ジョイントスケジューリングユーザであると決定するように構成される第１の決定サブユニットと、
上記ＵＥの上記初期ユーザ属性が部分ジョイントスケジューリングユーザである場合に、上記ＵＥの上記実際のユーザ属性が独立スケジューリングユーザであると決定するように構成される第２の決定サブユニットと、
を含む、項目７に記載の装置。
［項目９］
上記装置は、上記ＵＥがＢＦユーザである場合に、上記ＵＥのビーム方向に対して重み付け処理を実行するように構成される処理モジュールをさらに備える、項目８に記載の装置。
［項目１０］
リソーススケジューリング装置であって、
プロセッサと、
上記プロセッサによって実行可能な命令を格納するように構成されるメモリと、
を備え、
上記プロセッサは、
ＵＥの動作中の遠隔無線ユニットＲＲＵのセットを取得し、
上記ＵＥが上記動作中のＲＲＵのセットの各ＲＲＵに到達する際のアップリンク参照信号受信電力ＲＳＲＰに従って、上記ＵＥの最大信号強度を有するＲＲＵを決定し、
上記最大信号強度を有する上記ＲＲＵに基づいて、上記動作中のＲＲＵのセットをスクリーニングし、上記ＵＥの第１のＲＲＵ対のセットを生成し、
上記第１のＲＲＵ対のセットに基づいて、ＵＥ対のセットを生成し、
上記ＵＥにサービスを提供するＲＲＵが上記第１のＲＲＵ対のセットに存在するか否かを決定し、
上記ＵＥにサービスを提供するＲＲＵが上記第１のＲＲＵ対のセットに存在する場合に、上記第１のＲＲＵ対のセット及び上記ＵＥ対のセットに従って、上記ＵＥの第２のＲＲＵ対のセットを決定し、
上記第２のＲＲＵ対のセット及び上記ＵＥの初期ユーザ属性に従って、上記ＵＥの実際のユーザ属性を決定し、
上記ＵＥの上記実際のユーザ属性に従って、上記ＵＥへのリソースをスケジューリングする
ように構成される、装置。
［項目１１］
上記ＵＥの上記動作中のＲＲＵのセットを取得する場合に、上記プロセッサは、上記ＵＥにサービスを提供する各ＲＲＵを決定し、上記ＲＲＵによって形成された上記動作中のＲＲＵのセットを取得するように具体的に構成される、又は、
上記ＵＥの上記動作中のＲＲＵのセットを取得する場合に、上記プロセッサは、上記ＵＥの分離範囲に従って、上記ＵＥにサービスを提供する各ＲＲＵを決定し、上記ＲＲＵによって形成された上記動作中のＲＲＵのセットを取得するように具体的に構成される、項目１０に記載の装置。
［項目１２］
上記第１のＲＲＵ対のセットに基づいて、上記ＵＥ対のセットを生成する場合に、上記プロセッサは、上記第１のＲＲＵ対のセットの各ＲＲＵによってサービスされるＵＥを取得し、上記第１のＲＲＵ対のセットの上記ＲＲＵによってサービスされる上記ＵＥを用いることによって、上記ＵＥ対のセットを形成するように具体的に構成される、又は、
上記第１のＲＲＵ対のセットに基づいて、上記ＵＥ対のセットを生成する場合に、上記プロセッサは、上記第１のＲＲＵ対のセットの各ＲＲＵによってサービスされるＵＥを取得し、各ＲＲＵによってサービスされる上記ＵＥからビームフォーミングＢＦユーザをスクリーンアウトし、スクリーンアウトされた上記ＢＦユーザを用いることによって、上記ＵＥ対のセットを形成するように具体的に構成される、
項目１０に記載の装置。
［項目１３］
上記ＵＥにサービスを提供するＲＲＵが上記第１のＲＲＵ対のセットに存在するか否かを決定した後で、上記プロセッサは、上記ＵＥにサービスを提供するＲＲＵが上記第１のＲＲＵ対のセットに存在しない場合に、上記ＵＥの上記実際のユーザ属性が上記初期ユーザ属性であると決定するようにさらに構成される、項目１０に記載の装置。
［項目１４］
上記第１のＲＲＵ対のセット及び上記ＵＥ対のセットに従って、上記ＵＥの上記第２のＲＲＵ対のセットを決定する場合に、上記プロセッサは、
上記ＵＥ対のセットの各ＵＥのサービスタイプに従って、各ＵＥの優先度を決定し、
上記ＵＥ対のセットの各ＵＥ対及び上記ＵＥに対して相関計算を実行し、
降順で上記優先度に従って、各ＵＥ対が上記ＵＥと相関を有するか否かを順に決定し、
最高優先度を有するＵＥ対が上記ＵＥと相関を有する場合に、上記最高優先度を有する上記ＵＥ対の動作中のＲＲＵを取得し、上記第１のＲＲＵ対のセットから上記最高優先度を有する上記ＵＥ対の上記動作中のＲＲＵを削除し、上記第２のＲＲＵ対のセットを取得し、
上記最高優先度を有する上記ＵＥ対が上記ＵＥと相関を有さない場合に、降順で上記優先度に従って、上記ＵＥ対のセットの残りのＵＥ対が上記ＵＥと相関を有するか否かを順に決定し、
上記ＵＥと相関を有するＵＥ対が上記ＵＥ対のセットの上記残りのＵＥ対に存在する場合に、上記最高優先度を有する上記ＵＥ対を処理する態様で、上記ＵＥと相関を有する上記ＵＥ対を処理し、上記第２のＲＲＵ対のセットを取得する
ように具体的に構成される、項目１０に記載の装置。
［項目１５］
降順で上記優先度に従って、上記ＵＥ対のセットの上記残りのＵＥ対が上記ＵＥと相関を有するか否かを順に決定した後で、上記プロセッサは、上記ＵＥと相関を有するＵＥが上記ＵＥ対のセットの上記残りのＵＥ対に存在しない場合に、上記ＵＥの上記実際のユーザ属性が上記初期ユーザ属性であると決定するようにさらに構成される、項目１４に記載の装置。
［項目１６］
上記第２のＲＲＵ対のセット及び上記ＵＥの上記初期ユーザ属性に従って、上記ＵＥの上記実際のユーザ属性を決定する場合に、上記プロセッサは、上記ＵＥにサービスを提供するＲＲＵが上記第２のＲＲＵ対のセットに存在しない場合に、上記ＵＥの上記初期ユーザ属性に従って、上記ＵＥの上記実際のユーザ属性を決定し、上記ＵＥにサービスを提供するＲＲＵが上記第２のＲＲＵ対のセットに存在する場合に、上記ＵＥにサービスを提供するＲＲＵが新たな第２のＲＲＵ対のセットに存在しなくなるまで、降順で優先度に従って、上記ＵＥ対のセットの残りのＵＥ対及び上記第１のＲＲＵ対のセットに従って、上記新たな第２のＲＲＵ対のセットを再決定するように具体的に構成される、項目１０に記載の装置。
［項目１７］
上記ユーザ属性は、全ジョイントスケジューリングユーザ、部分ジョイントスケジューリングユーザ、又は独立スケジューリングユーザであり、
上記ＵＥの上記初期ユーザ属性に従って、上記ＵＥの上記実際のユーザ属性を決定する場合に、上記プロセッサは、上記ＵＥの上記初期ユーザ属性が全ジョイントスケジューリングユーザである場合に、上記ＵＥの上記実際のユーザ属性が部分ジョイントスケジューリングユーザであると決定し、上記ＵＥの上記初期ユーザ属性が部分ジョイントスケジューリングユーザである場合に、上記ＵＥの上記実際のユーザ属性が独立スケジューリングユーザであると決定するように具体的に構成される、項目１６に記載の装置。
［項目１８］
上記ＵＥの上記初期ユーザ属性に従って、上記ＵＥの上記実際のユーザ属性を決定した後で、上記プロセッサは、上記ＵＥがＢＦユーザである場合に、上記ＵＥのビーム方向に対して重み付け処理を実行するようにさらに構成される、項目１７に記載の装置。
［項目１９］
リソーススケジューリング方法であって、
ＵＥの動作中の遠隔無線ユニットＲＲＵのセットを取得する段階と、
上記ＵＥが上記動作中のＲＲＵのセットの各ＲＲＵに到達する際のアップリンク参照信号受信電力ＲＳＲＰに従って、上記ＵＥの最大信号強度を有するＲＲＵを決定する段階と、
上記ＵＥの第１のＲＲＵ対のセットを生成すべく、上記最大信号強度を有する上記ＲＲＵに基づいて、上記動作中のＲＲＵのセットをスクリーニングする段階と、
上記第１のＲＲＵ対のセットに基づいて、ＵＥ対のセットを生成する段階と、
上記ＵＥにサービスを提供するＲＲＵが上記第１のＲＲＵ対のセットに存在するか否かを決定する段階と、
上記ＵＥにサービスを提供するＲＲＵが上記第１のＲＲＵ対のセットに存在する場合に、上記第１のＲＲＵ対のセット及び上記ＵＥ対のセットに従って、上記ＵＥの第２のＲＲＵ対のセットを決定する段階と、
上記第２のＲＲＵ対のセット及び上記ＵＥの初期ユーザ属性に従って、上記ＵＥの実際のユーザ属性を決定する段階と、
上記ＵＥの上記実際のユーザ属性に従って、上記ＵＥへのリソースをスケジューリングする段階と、
を備える方法。
［項目２０］
ＵＥの動作中のＲＲＵのセットを取得する上記段階は、
上記ＲＲＵによって形成された上記動作中のＲＲＵのセットを取得すべく、上記ＵＥにサービスを提供する各ＲＲＵを決定する段階、又は、
上記ＲＲＵによって形成された上記動作中のＲＲＵのセットを取得すべく、上記ＵＥの分離範囲に従って、上記ＵＥにサービスを提供する各ＲＲＵを決定する段階
を含む、項目１９に記載の方法。
［項目２１］
上記第１のＲＲＵ対のセットに基づいて、ＵＥ対のセットを生成する上記段階は、
上記第１のＲＲＵ対のセットの各ＲＲＵによってサービスされるＵＥを取得し、上記第１のＲＲＵ対のセットの上記ＲＲＵによってサービスされる上記ＵＥを用いることによって、上記ＵＥ対のセットを形成する段階、又は、
上記第１のＲＲＵ対のセットの各ＲＲＵによってサービスされるＵＥを取得し、各ＲＲＵによってサービスされる上記ＵＥからビームフォーミングＢＦユーザをスクリーンアウトし、スクリーンアウトされた上記ＢＦユーザを用いることによって、上記ＵＥ対のセットを形成する段階
を含む、項目１９に記載の方法。
［項目２２］
上記ＵＥにサービスを提供するＲＲＵが上記第１のＲＲＵ対のセットに存在するか否かを決定する上記段階の後で、上記ＵＥにサービスを提供するＲＲＵが上記第１のＲＲＵ対のセットに存在しない場合に、上記ＵＥの上記実際のユーザ属性が上記初期ユーザ属性であると決定する段階をさらに備える、項目１９に記載の方法。
［項目２３］
上記第１のＲＲＵ対のセット及び上記ＵＥ対のセットに従って、上記ＵＥの第２のＲＲＵ対のセットを決定する上記段階は、
上記ＵＥ対のセットの各ＵＥのサービスタイプに従って、各ＵＥの優先度を決定する段階と、
上記ＵＥ対のセットの各ＵＥ対及び上記ＵＥに対して相関計算を実行する段階と、
降順で上記優先度に従って、各ＵＥ対が上記ＵＥと相関を有するか否かを順に決定する段階と、
最高優先度を有するＵＥ対が上記ＵＥと相関を有する場合に、上記最高優先度を有する上記ＵＥ対の動作中のＲＲＵを取得し、上記第２のＲＲＵ対のセットを取得すべく、上記第１のＲＲＵ対のセットから上記最高優先度を有する上記ＵＥ対の上記動作中のＲＲＵを削除する段階と、
上記最高優先度を有する上記ＵＥ対が上記ＵＥと相関を有さない場合に、降順で上記優先度に従って、上記ＵＥ対のセットの残りのＵＥ対が上記ＵＥと相関を有するか否かを順に決定し、上記ＵＥと相関を有するＵＥ対が上記ＵＥ対のセットの上記残りのＵＥ対に存在する場合に、上記第２のＲＲＵ対のセットを取得すべく、上記最高優先度を有する上記ＵＥ対を処理する態様で、上記ＵＥと相関を有する上記ＵＥ対を処理する段階と、
を含む、項目２０に記載の方法。
［項目２４］
降順で上記優先度に従って、上記ＵＥ対のセットの上記残りのＵＥ対が上記ＵＥと相関を有するか否かを順に決定する上記段階の後で、上記ＵＥと相関を有するＵＥが上記ＵＥ対のセットの上記残りのＵＥ対に存在しない場合に、上記ＵＥの上記実際のユーザ属性が上記初期ユーザ属性であると決定する段階をさらに備える、項目２３に記載の方法。
［項目２５］
上記第２のＲＲＵ対のセット及び上記ＵＥの初期ユーザ属性に従って、上記ＵＥの実際のユーザ属性を決定する上記段階は、
上記ＵＥにサービスを提供するＲＲＵが上記第２のＲＲＵ対のセットに存在しない場合に、上記ＵＥの上記初期ユーザ属性に従って、上記ＵＥの上記実際のユーザ属性を決定する段階と、
上記ＵＥにサービスを提供するＲＲＵが上記第２のＲＲＵ対のセットに存在する場合に、降順で優先度に従って、上記ＵＥにサービスを提供するＲＲＵが新たな第２のＲＲＵ対のセットに存在しなくなるまで、上記ＵＥ対のセットの残りのＵＥ対及び上記第１のＲＲＵ対のセットに従って、上記新たな第２のＲＲＵ対のセットを再決定する段階と、
を含む、項目１９に記載の方法。
［項目２６］
上記ユーザ属性は、全ジョイントスケジューリングユーザ、部分ジョイントスケジューリングユーザ、又は独立スケジューリングユーザであり、
上記ＵＥの上記初期ユーザ属性に従って、上記ＵＥの上記実際のユーザ属性を決定する上記段階は、
上記ＵＥの上記初期ユーザ属性が全ジョイントスケジューリングユーザである場合に、上記ＵＥの上記実際のユーザ属性が部分ジョイントスケジューリングユーザであると決定する段階と、
上記ＵＥの上記初期ユーザ属性が部分ジョイントスケジューリングユーザである場合に、上記ＵＥの上記実際のユーザ属性が独立スケジューリングユーザであると決定する段階と、
を含む、項目２５に記載の方法。
［項目２７］
上記ＵＥの上記初期ユーザ属性に従って、上記ＵＥの上記実際のユーザ属性を決定する上記段階の後で、上記ＵＥがＢＦユーザである場合に、上記ＵＥのビーム方向に対して重み付け処理を実行する段階をさらに備える、項目２６に記載の方法。
【図１】
0006522749.tif 000004
【図２】
0006522749.tif 000005
【図３】
0006522749.tif 000006
【図４】
0006522749.tif 000007
【図５】
0006522749.tif 000008
【図６】
0006522749.tif 000009
【図７】
0006522749.tif 000010